(57)【特許請求の範囲】
【請求項１】
周波数分割複信（ＦＤＤ）ダウンリンク周波数帯域においてダウンリンク・サブフレームに対応するアップリンク・サブフレームがブランク・フレームである場合、前記ブランク・フレームに対応する前記ダウンリンク・サブフレームと前記ダウンリンク・サブフレームのアップリンク・フィードバック・サブフレームとの間のマッピング関係を含む設定されたハイブリッド自動再送要求（ＨＡＲＱ）タイミング関係に応じて、基地局によって、前記ブランク・フレームに対応する前記ダウンリンク・サブフレームの前記アップリンク・フィードバック・サブフレームを決定することと、
前記基地局によって、前記アップリンク・フィードバック・サブフレーム上で、前記ブランク・フレームに対応する前記ダウンリンク・サブフレーム上のデータであるダウンリンク・データに関してユーザ端末（ＵＥ）によるアップリンク・フィードバックを受信することと、
を含み、
前記設定されたＨＡＲＱタイミング関係は下記の条件のうちの１つを満たす、
ＦＤＤダウンリンク周波数帯域においてダウンリンク・サブフレームに対応するＦＤＤアップリンク周波数帯域のアップリンク・サブフレームがブランク・フレームである場合、前記ブランク・フレームに対応する前記ダウンリンク・サブフレームのアップリンク・フィードバック・サブフレームが、時分割複信ハイブリッド自動再送要求（ＴＤＤ  ＨＡＲＱ）タイミング関係に応じて前記ブランク・フレームのフレーム番号から決定されること、
負荷分散原理に応じてブランク・フレームの近傍のＸ個のサブフレームから選択された１個のサブフレームが、前記ブランク・フレームに対応するダウンリンク・サブフレームのアップリンク・フィードバック・サブフレームとして使用されること、及び、
ブランク・フレームの近傍のＸ個の候補サブフレームが、前記ブランク・フレームに対応するダウンリンク・サブフレームのアップリンク・フィードバック・サブフレームとして使用されること、ここで、Ｘ＞１である、
データ伝送フィードバック方法。
【請求項２】
前記設定されたＨＡＲＱタイミング関係は、テーブルの形式で反映され、
前記テーブルは、ＴＤＤコンフィギュレーション番号、及び前記ダウンリンク周波数帯域の中の前記ダウンリンク・サブフレームのサブフレーム番号、及び前記ＴＤＤコンフィギュレーション番号及び前記ダウンリンク・サブフレームの前記サブフレーム番号ｎに対応するＫ’値を含むか、又は、ブランク・フレーム・コンフィギュレーション番号、及び前記ダウンリンク周波数帯域の中の前記ダウンリンク・サブフレームのサブフレーム番号、及び前記ブランク・フレーム・コンフィギュレーション番号及び前記ダウンリンク・サブフレームの前記サブフレーム番号に対応するＫ’値を含み、
前記Ｋ’は、前記ダウンリンク・サブフレームと前記ダウンリンク・サブフレームの前記アップリンク・フィードバック・サブフレームとの間のフレームオフセットであり、
前記設定されたＨＡＲＱタイミング関係に応じて、基地局によって、前記ブランク・フレームに対応する前記ダウンリンク・サブフレームのアップリンク・フィードバック・サブフレームを決定することは、
前記テーブルの中で、前記基地局によって、前記ブランク・フレームに対応する前記ブランク・フレーム・コンフィギュレーション番号、又は前記ＴＤＤコンフィギュレーション番号及び前記ブランク・フレームに対応する前記ダウンリンク・サブフレームのサブフレーム番号ｎ双方に応じて前記Ｋ’値を検索し、前記ブランク・フレームに対応する前記ダウンリンク・サブフレームの前記アップリンク・フィードバック・サブフレームのサブフレーム番号がｎ＋Ｋ’であると決定することを含む、
請求項１に記載の方法。
【請求項３】
前記設定されたＨＡＲＱタイミング関係が、ブランク・フレームの近傍のＸ個の候補サブフレームが、前記ブランク・フレームに対応するダウンリンク・サブフレームのアップリンク・フィードバック・サブフレームとして使用されることを満たし、
前記設定されたＨＡＲＱタイミング関係に応じて、基地局によって、前記ブランク・フレームに対応する前記ダウンリンク・サブフレームのアップリンク・フィードバック・サブフレームを決定することは、
前記設定されたＨＡＲＱタイミング関係及び負荷分散原理に応じて、前記基地局によって、前記ブランク・フレームに対応する前記ダウンリンク・サブフレームの前記アップリンク・フィードバック・サブフレームとして前記Ｘ個の候補サブフレームから１個のサブフレームを選択することを含む、
請求項１に記載の方法。
【請求項４】
前記設定されたＨＡＲＱタイミング関係は、テーブルの形式で反映され、
前記テーブルは、ＴＤＤコンフィギュレーション番号、及び前記ダウンリンク周波数帯域の中の前記ダウンリンク・サブフレームのサブフレーム番号、及び前記ＴＤＤコンフィギュレーション番号及び前記ダウンリンク・サブフレームの前記サブフレーム番号に対応するＸ個のＫ’値から負荷分散原理に応じて選択された１個のＫ’値を含むか、又は、ブランク・フレーム・コンフィギュレーション番号、及び前記ダウンリンク周波数帯域の中の前記ダウンリンク・サブフレームのサブフレーム番号、及び前記ブランク・フレーム・コンフィギュレーション番号及び前記ダウンリンク・サブフレームの前記サブフレーム番号に対応するＸ個のＫ’値から負荷分散原理に応じて選択された１個のＫ’値を含み、前記Ｋ’は、前記ダウンリンク・サブフレームと前記ダウンリンク・サブフレームの前記アップリンク・フィードバック・サブフレームとの間のフレームオフセットであり、
前記設定されたＨＡＲＱタイミング関係に応じて、基地局によって、前記ブランク・フレームに対応する前記ダウンリンク・サブフレームのアップリンク・フィードバック・サブフレームを決定することは、
前記テーブルの中で、前記基地局によって、前記ブランク・フレーム位置に対応する前記ブランク・フレーム・コンフィギュレーション番号、又は前記ＴＤＤコンフィギュレーション番号、及び前記ブランク・フレームに対応する前記ダウンリンク・サブフレームのサブフレーム番号ｎに応じて前記Ｋ’値を検索し、前記ブランク・フレームに対応する前記ダウンリンク・サブフレームの前記アップリンク・フィードバック・サブフレームのサブフレーム番号がｎ＋Ｋ’であると決定することを含む、
請求項１に記載の方法。
【請求項５】
前記設定されたＨＡＲＱタイミング関係は、テーブルの形式で反映され、
前記テーブルは、ＴＤＤコンフィギュレーション番号、及び前記ダウンリンク周波数帯域の中の前記ダウンリンク・サブフレームのサブフレーム番号、及び前記ＴＤＤコンフィギュレーション番号及び前記ダウンリンク・サブフレームの前記サブフレーム番号に対応するＸ個のＫ’値を含むか、又は、ブランク・フレーム・コンフィギュレーション番号、及び前記ダウンリンク周波数帯域の中の前記ダウンリンク・サブフレームのサブフレーム番号、及び前記ブランク・フレーム・コンフィギュレーション番号及び前記ダウンリンク・サブフレームの前記サブフレーム番号に対応するＸ個のＫ’値を含み、
前記Ｋ’は、前記ダウンリンク・サブフレームと前記ダウンリンク・サブフレームに対応する前記アップリンク・フィードバック・サブフレームとの間のフレームオフセットであり、
前記設定されたＨＡＲＱタイミング関係に応じて、基地局によって、前記ブランク・フレームに対応する前記ダウンリンク・サブフレームのアップリンク・フィードバック・サブフレームを決定することは、
前記テーブルの中で、前記基地局によって、前記ブランク・フレームに対応する前記ブランク・フレーム・コンフィギュレーション番号、又は前記ＴＤＤコンフィギュレーション番号、及び前記ブランク・フレームに対応する前記ダウンリンク・サブフレームのサブフレーム番号ｎに応じて、Ｘ個のＫ’値を検索し、負荷分散原理に応じてＸ個のＫ’から１個のＫ’を選択し、前記選択されたＫ’に応じて、前記ブランク・フレームに対応する前記ダウンリンク・サブフレームの前記アップリンク・フィードバック・サブフレームのサブフレーム番号がｎ＋Ｋ’であると決定することを含む、
請求項１に記載の方法。
【請求項６】
ＦＤＤダウンリンク周波数帯域においてダウンリンク・サブフレームに対応するアップリンク・サブフレームがブランク・フレームであることは、
前記ＦＤＤダウンリンク周波数帯域において前記ダウンリンク・サブフレームに直接的に対応するアップリンク・サブフレームがブランク・フレームであることを含むか、又は、
ＦＤＤ  ＨＡＲＱタイミング関係の中で前記ＦＤＤダウンリンク周波数帯域において前記ダウンリンク・サブフレームに対応するアップリンク・サブフレームがブランク・フレームであることを含む、
請求項１〜５のいずれか１項に記載の方法。
【請求項７】
前記ブランク・フレームは、
アップリンク・データ及びシグナリングを伝送に使用しないサブフレーム、又は、
ＵＬ周波数帯域上のアクセス・リンク・ダウンリンク・サブフレーム、又は、
ＵＬ周波数帯域上のバックホール・サブフレームである、
請求項１〜６のいずれか１項に記載の方法。
【請求項８】
周波数分割複信（ＦＤＤ）ダウンリンク周波数帯域においてダウンリンク・サブフレームに対応するアップリンク・サブフレームがブランク・フレームである場合、前記ブランク・フレームに対応する前記ダウンリンク・サブフレームと前記ダウンリンク・サブフレームのアップリンク・フィードバック・サブフレームとの間のマッピング関係を含む設定されたハイブリッド自動再送要求（ＨＡＲＱ）タイミング関係に応じて、ユーザ端末（ＵＥ）によって、前記ブランク・フレームに対応する前記ダウンリンク・サブフレームの前記アップリンク・フィードバック・サブフレームを決定することと、
前記アップリンク・フィードバック・サブフレーム上で、前記ＵＥによって、前記ブランク・フレームに対応する前記ダウンリンク・サブフレーム上のデータである前記ＵＥのダウンリンク・データに関してアップリンク・フィードバックを基地局に送信することと、
を含み、
前記設定されたＨＡＲＱタイミング関係は下記の条件のうちの１つを満たす、
ＦＤＤダウンリンク周波数帯域においてダウンリンク・サブフレームに対応するＦＤＤアップリンク周波数帯域のアップリンク・サブフレームがブランク・フレームである場合、前記ブランク・フレームに対応する前記ダウンリンク・サブフレームのアップリンク・フィードバック・サブフレームが、時分割複信ハイブリッド自動再送要求（ＴＤＤ  ＨＡＲＱ）タイミング関係に応じて前記ブランク・フレームのフレーム番号から決定されること、
負荷分散原理に応じてブランク・フレームの近傍のＸ個のサブフレームから選択された１個のサブフレームが、前記ブランク・フレームに対応するダウンリンク・サブフレームのアップリンク・フィードバック・サブフレームとして使用されること、及び、
ブランク・フレームの近傍のＸ個の候補サブフレームが、前記ブランク・フレームに対応するダウンリンク・サブフレームのアップリンク・フィードバック・サブフレームとして使用されること、ここで、Ｘ＞１である、
データ伝送フィードバック方法。
【請求項９】
前記設定されたＨＡＲＱタイミング関係は、テーブルの形式で反映され、
前記テーブルは、ＴＤＤコンフィギュレーション番号、及び前記ダウンリンク周波数帯域の中の前記ダウンリンク・サブフレームのサブフレーム番号、及び前記ＴＤＤコンフィギュレーション番号及び前記ダウンリンク・サブフレームの前記サブフレーム番号に対応するＫ’値を含むか、又は、ブランク・フレーム・コンフィギュレーション番号、及び前記ダウンリンク周波数帯域の中の前記ダウンリンク・サブフレームのサブフレーム番号、及び前記ブランク・フレーム・コンフィギュレーション番号及び前記ダウンリンク・サブフレームの前記サブフレーム番号に対応するＫ’値を含み、
前記Ｋ’は、前記ダウンリンク・サブフレームと前記ダウンリンク・サブフレームの前記アップリンク・フィードバック・サブフレームとの間のフレームオフセットであり、
前記設定されたＨＡＲＱタイミング関係に応じて、ＵＥによって、前記ブランク・フレームに対応する前記ダウンリンク・サブフレームのアップリンク・フィードバック・サブフレームを決定することは、
前記テーブルの中で、前記ＵＥによって、前記ブランク・フレームに対応する前記ブランク・フレーム・コンフィギュレーション番号、又は前記ＴＤＤコンフィギュレーション番号及び前記ブランク・フレームに対応する前記ダウンリンク・サブフレームのサブフレーム番号ｎ双方に応じて前記Ｋ’値を検索し、前記ブランク・フレームに対応する前記ダウンリンク・サブフレームの前記アップリンク・フィードバック・サブフレームのサブフレーム番号がｎ＋Ｋ’であると決定することを含む、
請求項８に記載の方法。
【請求項１０】
前記設定されたＨＡＲＱタイミング関係が、ブランク・フレームの近傍のＸ個の候補サブフレームが、前記ブランク・フレームに対応するダウンリンク・サブフレームのアップリンク・フィードバック・サブフレームとして使用されることを満たし、
前記設定されたＨＡＲＱタイミング関係に応じて、ＵＥによって、前記ブランク・フレームに対応する前記ダウンリンク・サブフレームのアップリンク・フィードバック・サブフレームを決定することは、
前記設定されたＨＡＲＱタイミング関係及び負荷分散原理に応じて、前記ブランク・フレームに対応する前記ダウンリンク・サブフレームの前記アップリンク・フィードバック・サブフレームとして前記Ｘ個の候補サブフレームから１個のサブフレームを選択することを含む、
請求項８に記載の方法。
【請求項１１】
前記設定されたＨＡＲＱタイミング関係は、テーブルの形式で反映され、
前記テーブルは、ＴＤＤコンフィギュレーション番号、及び前記ダウンリンク周波数帯域の中の前記ダウンリンク・サブフレームのサブフレーム番号、及び前記ＴＤＤコンフィギュレーション番号及び前記ダウンリンク・サブフレームの前記サブフレーム番号に対応するＸ個のＫ’値から負荷分散原理に応じて選択された１個のＫ’値を含むか、又は、ブランク・フレーム・コンフィギュレーション番号、及び前記ダウンリンク周波数帯域の中の前記ダウンリンク・サブフレームのサブフレーム番号、及び前記ブランク・フレーム・コンフィギュレーション番号及び前記ダウンリンク・サブフレームの前記サブフレーム番号に対応するＸ個のＫ’値から負荷分散原理に応じて選択された１個のＫ’値を含み、前記Ｋ’は、前記ダウンリンク・サブフレームと前記ダウンリンク・サブフレームの前記アップリンク・フィードバック・サブフレームとの間のフレームオフセットであり、
前記設定されたＨＡＲＱタイミング関係に応じて、ＵＥによって、前記ブランク・フレームに対応する前記ダウンリンク・サブフレームのアップリンク・フィードバック・サブフレームを決定することは、
前記テーブルの中で、前記ＵＥによって、前記ブランク・フレーム位置に対応する前記ブランク・フレーム・コンフィギュレーション番号、又は前記ＴＤＤコンフィギュレーション番号、及び前記ブランク・フレームに対応する前記ダウンリンク・サブフレームのサブフレーム番号ｎに応じて、前記Ｋ’値を検索し、前記ブランク・フレームに対応する前記ダウンリンク・サブフレームの前記アップリンク・フィードバック・サブフレームのサブフレーム番号がｎ＋Ｋ’であると決定することを含む、
請求項８に記載の方法。
【請求項１２】
前記設定されたＨＡＲＱタイミング関係は、テーブルの形式で反映され、
前記テーブルは、ＴＤＤコンフィギュレーション番号、及び前記ダウンリンク周波数帯域の中の前記ダウンリンク・サブフレームのサブフレーム番号、及び前記ＴＤＤコンフィギュレーション番号及び前記ダウンリンク・サブフレームの前記サブフレーム番号に対応するＸ個のＫ’値を含むか、又は、ブランク・フレーム・コンフィギュレーション番号、及び前記ダウンリンク周波数帯域の中の前記ダウンリンク・サブフレームのサブフレーム番号、及び前記ブランク・フレーム・コンフィギュレーション番号及び前記ダウンリンク・サブフレームの前記サブフレーム番号に対応するＸ個のＫ’値を含み、
前記Ｋ’は、前記ダウンリンク・サブフレームと前記ダウンリンク・サブフレームの前記アップリンク・フィードバック・サブフレームとの間のフレームオフセットであり、
前記設定されたＨＡＲＱタイミング関係に応じて、ＵＥによって、前記ブランク・フレームに対応する前記ダウンリンク・サブフレームのアップリンク・フィードバック・サブフレームを決定することは、
前記テーブルの中で、前記ＵＥによって、前記ブランク・フレーム位置に対応する前記ブランク・フレーム・コンフィギュレーション番号、又は前記ＴＤＤコンフィギュレーション番号、及び前記ブランク・フレームに対応する前記ダウンリンク・サブフレームのサブフレーム番号ｎに応じて、Ｘ個のＫ’を検索し、負荷分散原理に応じて前記Ｘ個のＫ’から１個のＫ’を選択し、前記選択されたＫ’に応じて、前記ブランク・フレームに対応する前記ダウンリンク・サブフレームの前記アップリンク・フィードバック・サブフレームのサブフレーム番号がｎ＋Ｋ’であると決定することを含む、
請求項８に記載の方法。
【請求項１３】
ＦＤＤダウンリンク・サブフレームに対応するアップリンク・サブフレームがブランク・フレームであることは、
前記ＦＤＤダウンリンク周波数帯域において前記ダウンリンク・サブフレームに直接的に対応するアップリンク・サブフレームがブランク・フレームであることを含むか、又は、
ＦＤＤ  ＨＡＲＱタイミング関係の中で前記ＦＤＤダウンリンク周波数帯域において前記ダウンリンク・サブフレームに対応するアップリンク・サブフレームがブランク・フレームであることを含む、
請求項８〜１２のいずれか１項に記載の方法。
【請求項１４】
周波数分割複信（ＦＤＤ）ダウンリンク周波数帯域においてダウンリンク・サブフレームに対応するアップリンク・サブフレームがブランク・フレームである場合、ブランク・フレームに対応するダウンリンク・サブフレームと前記ダウンリンク・サブフレームのアップリンク・フィードバック・サブフレームとの間のマッピング関係を含む設定されたハイブリッド自動再送要求（ＨＡＲＱ）タイミング関係に応じて、前記ブランク・フレームに対応する前記ダウンリンク・サブフレームの前記アップリンク・フィードバック・サブフレームを決定するよう構成されている決定モジュールと、
前記決定モジュールによって決定された前記アップリンク・フィードバック・サブフレーム上で、前記ブランク・フレームに対応する前記ダウンリンク・サブフレーム上のデータであるダウンリンク・データに関してユーザ端末（ＵＥ）によるアップリンク・フィードバックを受信するよう構成されている受信モジュールと、
を含み、
前記設定されたＨＡＲＱタイミング関係は下記の条件のうちの１つを満たす、
ＦＤＤダウンリンク周波数帯域においてダウンリンク・サブフレームに対応するＦＤＤアップリンク周波数帯域のアップリンク・サブフレームがブランク・フレームである場合、前記ブランク・フレームに対応する前記ダウンリンク・サブフレームのアップリンク・フィードバック・サブフレームが、時分割複信ハイブリッド自動再送要求（ＴＤＤ  ＨＡＲＱ）タイミング関係に応じて前記ブランク・フレームのフレーム番号から決定されること、
負荷分散原理に応じてブランク・フレームの近傍のＸ個のサブフレームから選択された１個のサブフレームが、前記ブランク・フレームに対応するダウンリンク・サブフレームのアップリンク・フィードバック・サブフレームとして使用されること、及び、
ブランク・フレームの近傍のＸ個の候補サブフレームが、前記ブランク・フレームに対応するダウンリンク・サブフレームのアップリンク・フィードバック・サブフレームとして使用されること、ここで、Ｘ＞１である、
基地局。
【請求項１５】
前記決定モジュールにおける前記ＨＡＲＱタイミング関係は、テーブルの形式で反映され、前記テーブルは、ＴＤＤコンフィギュレーション番号、及び前記ダウンリンク周波数帯域の中の前記ダウンリンク・サブフレームのサブフレーム番号、及び前記ＴＤＤコンフィギュレーション番号及び前記ダウンリンク・サブフレームの前記サブフレーム番号に対応するＫ’値を含み、又は、ブランク・フレーム・コンフィギュレーション番号、及び前記ダウンリンク周波数帯域の中の前記ダウンリンク・サブフレームのサブフレーム番号、及び前記ブランク・フレーム・コンフィギュレーション番号及び前記ダウンリンク・サブフレームの前記サブフレーム番号に対応するＫ’値を含み、前記Ｋ’は、前記ダウンリンク・サブフレームと前記ダウンリンク・サブフレームの前記アップリンク・フィードバック・サブフレームとの間のフレームオフセットであり、
前記決定モジュールは、更に、前記テーブルの中で、前記ブランク・フレームに対応する前記ブランク・フレーム・コンフィギュレーション番号、又は前記ＴＤＤコンフィギュレーション番号及び前記ブランク・フレームに対応する前記ダウンリンク・サブフレームのサブフレーム番号ｎ双方に応じてＫ’を検索し、前記ブランク・フレームに対応する前記ダウンリンク・サブフレームの前記アップリンク・フィードバック・サブフレームのサブフレーム番号がｎ＋Ｋ’であると決定するよう構成されている、
請求項１４に記載の基地局。
【請求項１６】
前記設定されたＨＡＲＱタイミング関係が、ブランク・フレームの近傍のＸ個の候補サブフレームが、前記ブランク・フレームに対応するダウンリンク・サブフレームのアップリンク・フィードバック・サブフレームとして使用されることを満たし、
前記決定モジュールは、更に、前記設定されたＨＡＲＱタイミング関係及び負荷分散原理に応じて、前記ブランク・フレームに対応する前記ダウンリンク・サブフレームの前記アップリンク・フィードバック・サブフレームとして前記Ｘ個の候補サブフレームから１個のサブフレームを選択するよう構成される、
請求項１４に記載の基地局。
【請求項１７】
前記決定モジュールにおける前記設定されたＨＡＲＱタイミング関係は、テーブルの形式で反映され、前記テーブルは、ＴＤＤコンフィギュレーション番号、及び前記ダウンリンク周波数帯域の中のダウンリンク・サブフレーム番号、及び前記ＴＤＤコンフィギュレーション番号及び前記ダウンリンク・サブフレーム番号に対応するＸ個のＫ’値を含むか、又は、ブランク・フレーム・コンフィギュレーション番号、及び前記ダウンリンク周波数帯域の中のダウンリンク・サブフレーム番号、及び前記ブランク・フレーム・コンフィギュレーション番号及び前記ダウンリンク・サブフレーム番号に対応するＸ個のＫ’値を含み、前記Ｋ’は、前記ダウンリンク・サブフレームと前記ダウンリンク・サブフレームの前記アップリンク・フィードバック・サブフレームとの間のフレームオフセットであり、
前記決定モジュールは、更に、前記テーブルの中で、前記ブランク・フレーム位置に対応する前記ブランク・フレーム・コンフィギュレーション番号、又は前記ＴＤＤコンフィギュレーション番号、及び前記ブランク・フレームに対応する前記ダウンリンク・サブフレームのサブフレーム番号ｎに応じてＸ個のＫ’を検索し、負荷分散原理に応じて前記Ｘ個のＫ’から１個のＫ’を選択し、前記選択されたＫ’に応じて、前記ブランク・フレームに対応する前記ダウンリンク・サブフレームの前記アップリンク・フィードバック・サブフレームのサブフレーム番号がｎ＋Ｋ’であると決定するよう構成されている、
請求項１４に記載の基地局。
【請求項１８】
前記決定モジュールにおける前記設定されたＨＡＲＱタイミング関係は、テーブルの形式で反映され、前記テーブルは、ＴＤＤコンフィギュレーション番号、及び前記ダウンリンク周波数帯域の中の前記ダウンリンク・サブフレームのサブフレーム番号、及び前記ＴＤＤコンフィギュレーション番号及び前記ダウンリンク・サブフレームの前記サブフレーム番号に対応するＸ個のＫ’値から負荷分散原理に応じて選択された１個のＫ’値を含むか、又は、ブランク・フレーム・コンフィギュレーション番号、及び前記ダウンリンク周波数帯域の中の前記ダウンリンク・サブフレームのサブフレーム番号、及び前記ブランク・フレーム・コンフィギュレーション番号及び前記ダウンリンク・サブフレームの前記サブフレーム番号に対応するＸ個のＫ’値から負荷分散原理に応じて選択された１個のＫ’値を含み、前記Ｋ’は、前記ダウンリンク・サブフレームと前記ダウンリンク・サブフレームの前記アップリンク・フィードバック・サブフレームとの間のフレームオフセットであり、
前記決定モジュールは、更に、前記テーブルの中で、前記ブランク・フレーム位置に対応する前記ブランク・フレーム・コンフィギュレーション番号、又は前記ＴＤＤコンフィギュレーション番号、及び前記ブランク・フレームに対応する前記ダウンリンク・サブフレームのサブフレーム番号ｎに応じて前記Ｋ’値を検索し、前記ブランク・フレームに対応する前記ダウンリンク・サブフレームの前記アップリンク・フィードバック・サブフレームのサブフレーム番号がｎ＋Ｋ’であると決定するよう構成されている、
請求項１４に記載の基地局。
【請求項１９】
周波数分割複信（ＦＤＤ）ダウンリンク周波数帯域においてダウンリンク・サブフレームに対応するアップリンク・サブフレームがブランク・フレームである場合、前記ブランク・フレームに対応する前記ダウンリンク・サブフレームと前記ダウンリンク・サブフレームのアップリンク・フィードバック・サブフレームとの間のマッピング関係を含む設定されたハイブリッド自動再送要求（ＨＡＲＱ）タイミング関係に応じて、前記ブランク・フレームに対応する前記ダウンリンク・サブフレームの前記アップリンク・フィードバック・サブフレームを決定するよう構成されている第１の決定モジュールと、
前記第１の決定モジュールによって決定された前記アップリンク・フィードバック・サブフレーム上で、前記ブランク・フレームに対応する前記ダウンリンク・サブフレーム上のデータであるダウンリンク・データに関するＵＥによるアップリンク・フィードバックを送信するよう構成されている送信モジュールと、
を含み、
前記設定されたＨＡＲＱタイミング関係は下記の条件のうちの１つを満たす、
ＦＤＤダウンリンク周波数帯域においてダウンリンク・サブフレームに対応するＦＤＤアップリンク周波数帯域のアップリンク・サブフレームがブランク・フレームである場合、前記ブランク・フレームに対応する前記ダウンリンク・サブフレームのアップリンク・フィードバック・サブフレームが、時分割複信ハイブリッド自動再送要求（ＴＤＤ  ＨＡＲＱ）タイミング関係に応じて前記ブランク・フレームのフレーム番号から決定されること、
負荷分散原理に応じてブランク・フレームの近傍のＸ個のサブフレームから選択された１個のサブフレームが、前記ブランク・フレームに対応するダウンリンク・サブフレームのアップリンク・フィードバック・サブフレームとして使用されること、及び、
ブランク・フレームの近傍のＸ個の候補サブフレームが、前記ブランク・フレームに対応するダウンリンク・サブフレームのアップリンク・フィードバック・サブフレームとして使用されること、ここで、Ｘ＞１である、
ユーザ端末。
【請求項２０】
前記第１の決定モジュールにおけるＨＡＲＱタイミング関係は、テーブルの形式で反映され、前記テーブルは、ＴＤＤコンフィギュレーション番号、及び前記ダウンリンク周波数帯域の中の前記ダウンリンク・サブフレームのサブフレーム番号、及び前記ＴＤＤコンフィギュレーション番号及び前記ダウンリンク・サブフレームの前記サブフレーム番号に対応するＫ’値を含むか、又は、ブランク・フレーム・コンフィギュレーション番号、及び前記ダウンリンク周波数帯域の中の前記ダウンリンク・サブフレームのサブフレーム番号、及び前記ブランク・フレーム・コンフィギュレーション番号及び前記ダウンリンク・サブフレームの前記サブフレーム番号に対応するＫ’値を含み、
前記Ｋ’は、前記ダウンリンク・サブフレームと前記ダウンリンク・サブフレームの前記アップリンク・フィードバック・サブフレームとの間のフレームオフセットであり、
前記第１の決定モジュールは、更に、前記テーブルの中で、前記ブランク・フレームに対応する前記ブランク・フレーム・コンフィギュレーション番号、又は前記ＴＤＤコンフィギュレーション番号及び前記ブランク・フレームに対応する前記ダウンリンク・サブフレームのサブフレーム番号ｎ双方に応じて、前記Ｋ’値を検索し、前記ブランク・フレームに対応する前記ダウンリンク・サブフレームの前記アップリンク・フィードバック・サブフレームのサブフレーム番号がｎ＋Ｋ’であると決定するよう構成されている、
請求項１９に記載のユーザ端末。
【請求項２１】
前記設定されたＨＡＲＱタイミング関係が、ブランク・フレームの近傍のＸ個の候補サブフレームが、前記ブランク・フレームに対応するダウンリンク・サブフレームのアップリンク・フィードバック・サブフレームとして使用されることを満たし、
前記第１の決定モジュールは、更に、前記設定されたＨＡＲＱタイミング関係及び負荷分散原理に応じて、ブランク・フレームｎの近傍のＸ個のサブフレームのうちで、前記ブランク・フレームに対応する前記ダウンリンク・サブフレームの前記アップリンク・フィードバック・サブフレームとして前記Ｘ個の候補サブフレームから１個のサブフレームを選択するよう構成される、
請求項１９に記載のユーザ端末。
【請求項２２】
前記第１の決定モジュールにおける前記設定されたＨＡＲＱタイミング関係は、テーブルの形式で反映され、前記テーブルは、ＴＤＤコンフィギュレーション番号、及び前記ダウンリンク周波数帯域の中の前記ダウンリンク・サブフレームのサブフレーム番号、及び前記ＴＤＤコンフィギュレーション番号及び前記ダウンリンク・サブフレームの前記サブフレーム番号に対応するＸ個のＫ’値を含み、又は、ブランク・フレーム・コンフィギュレーション番号、及び前記ダウンリンク周波数帯域の中の前記ダウンリンク・サブフレームのサブフレーム番号、及び前記ブランク・フレーム・コンフィギュレーション番号及び前記ダウンリンク・サブフレームの前記サブフレーム番号に対応するＸ個のＫ’値を含み、前記Ｋ’は、前記ダウンリンク・サブフレームと前記ダウンリンク・サブフレームの前記アップリンク・フィードバック・サブフレームとの間のフレームオフセットであり、
前記第１の決定モジュールは、更に、前記テーブルの中で、前記ブランク・フレーム位置に対応する前記ブランク・フレーム・コンフィギュレーション番号、又はＴＤＤコンフィギュレーション番号及び前記ブランク・フレームに対応する前記ダウンリンク・サブフレームのサブフレーム番号ｎ双方に応じて、Ｘ個のＫ’を検索し、負荷分散原理に応じて前記Ｘ個のＫ’から１個のＫ’を選択し、前記選択されたＫ’に応じて、前記ブランク・フレームに対応する前記ダウンリンク・サブフレームの前記アップリンク・フィードバック・サブフレームのサブフレーム番号がｎ＋Ｋ’であると決定するよう構成されている、
請求項１９に記載のユーザ端末。
【請求項２３】
前記第１の決定モジュールにおける前記設定されたＨＡＲＱタイミング関係は、テーブルの形式で反映され、前記テーブルは、ＴＤＤコンフィギュレーション番号、及び前記ダウンリンク周波数帯域の中の前記ダウンリンク・サブフレームのサブフレーム番号、及び前記ＴＤＤコンフィギュレーション番号及び前記ダウンリンク・サブフレームの前記サブフレーム番号に対応するＸ個のＫ’値から負荷分散原理に応じて選択された１個のＫ’値を含むか、又は、ブランク・フレーム・コンフィギュレーション番号、及び前記ダウンリンク周波数帯域の中の前記ダウンリンク・サブフレームのサブフレーム番号、及び前記ブランク・フレーム・コンフィギュレーション番号及び前記ダウンリンク・サブフレームの前記サブフレーム番号に対応するＸ個のＫ’値から負荷分散原理に応じて選択された１個のＫ’値を含み、前記Ｋ’は、前記ダウンリンク・サブフレームと前記ダウンリンク・サブフレームの前記アップリンク・フィードバック・サブフレームとの間のフレームオフセットであり、
前記第１の決定モジュールは、更に、前記テーブルの中で、前記ブランク・フレーム位置に対応する前記ブランク・フレーム・コンフィギュレーション番号、又は前記ＴＤＤコンフィギュレーション番号及び前記ブランク・フレームに対応する前記ダウンリンク・サブフレームのサブフレーム番号ｎ双方に応じて、前記Ｋ’値を検索し、前記ブランク・フレームに対応する前記ダウンリンク・サブフレームの前記アップリンク・フィードバック・サブフレームのサブフレーム番号がｎ＋Ｋ’であると決定するよう構成されている、
請求項１９に記載のユーザ端末。
【請求項２４】
請求項１〜７のいずれか１項に記載の方法をコンピュータに実行させるプログラムを記憶したコンピュータ読取可能記憶媒体。
【発明の詳細な説明】
【技術分野】
【０００１】
本発明は、無線通信技術の分野に、詳しくは、データ伝送フィードバック方法及び装置に関する。
【背景技術】
【０００２】
周波数分割複信（ＦＤＤ、Ｆｒｅｑｕｅｎｃｙ  Ｄｉｖｉｓｉｏｎ  Ｄｕｐｌｅｘ）システムにおいて、ダウンリンク（ＤＬ、Ｄｏｗｎ  ｌｉｎｋ）周波数帯域及びアップリンク（ＵＬ、Ｕｐ  ｌｉｎｋ）周波数帯域は、通常同じ周波数帯域幅を使用する。しかし、現在のところ、アップリンク周波数帯域のトラフィックとダウンリンク周波数帯域のトラフィックとはバランスがとれず、ＤＬ周波数帯域のトラフィックはＵＬ周波数帯域のトラフィックより通常重い。その結果、ＵＬ周波数帯域のＵＬリソースの一部は、相対的にアイドル状態である。ＵＬトラフィックがＤＬトラフィックと釣り合う場合、ＵＬスペクトル効率はＤＬスペクトル効率より高いので、ＵＬサブフレームの利用はＤＬサブフレームの利用より低く、一部のＵＬリソースが冗長である。
【０００３】
冗長なＵＬリソースを効果的に使用するために、周波数分割複信システムのＵＬアクセス・リンク・リソースの一部が時分割複信（ＴＤＤ、Ｔｉｍｅ  Ｄｉｖｉｓｉｏｎ  Ｄｕｐｌｅｘ）システムのＤＬアクセス・リンク・リソース又は無線バックホール・リンク・リソースとして使用されることがあり、それにより、ＦＤＤ  ＵＬ周波数帯域の利用が改善される。しかし、ＦＤＤ  ＵＬデータ及びシグナリングの伝送は、ＦＤＤ  ＵＬ周波数帯域におけるＴＤＤ  ＤＬデータ及びシグナリングの伝送と干渉する。この問題を解決するために、ＦＤＤ  ＤＬ周波数帯域のＤＬサブフレームに対応するＦＤＤ  ＵＬ周波数帯域のＵＬサブフレームがＦＤＤ  ＵＬ周波数帯域において伝送されたＴＤＤ  ＤＬデータ及びシグナリングと干渉する場合、データ及びシグナリングの伝送はＵＬサブフレーム上で実行されないが、ＵＬサブフレームはＤＬデータ伝送フィードバックに使用されていたはずである。したがって、この解決手法は、ＦＤＤ  ＵＬ周波数帯域の対応するＵＬサブフレーム上で、ＵＥのＤＬデータ伝送に関するＵＬフィードバックの実行に失敗するという結果を招く。
【０００４】
この解決手法によると、ＵＬフィードバックは、ＵＬサブフレーム上で実行され得ないので、ＵＬサブフレームに対応するＤＬサブフレーム上でデータ・スケジューリングが実行され得ず、したがって、ダウンリンクリソースの利用を低下させる。
【発明の概要】
【発明が解決しようとする課題】
【０００５】
本発明の実施形態は、ＵＬサブフレームに対応するＤＬサブフレームのデータ・スケジューリングの実行に失敗する問題を解決するためにデータ伝送フィードバック方法及び装置を提供する。
【課題を解決するための手段】
【０００６】
一態様では、データ伝送フィードバック方法が提供され、このデータ伝送のフィードバック方法は、
周波数分割複信（ＦＤＤ）ダウンリンク周波数帯域においてダウンリンク・サブフレームに対応するアップリンク・サブフレームがブランク・フレームである場合、ブランク・フレームに対応するダウンリンク・サブフレームとダウンリンク・サブフレームのアップリンク・フィードバック・サブフレームとの間のマッピング関係を含む設定されたハイブリッド自動再送要求（ＨＡＲＱ）タイミング関係に応じて、基地局によって、ブランク・フレームに対応するダウンリンク・サブフレームのアップリンク・フィードバック・サブフレームを決定することと、
基地局によって、アップリンク・フィードバック・サブフレーム上で、ブランク・フレームに対応するダウンリンク・サブフレームに関してＵＥによって送信されるデータフィードバックを受信することと、
を含む。
【０００７】
一態様では、別のデータ伝送フィードバック方法が提供され、この別のデータ伝送フィードバック方法は、
周波数分割複信（ＦＤＤ）ダウンリンク周波数帯域においてダウンリンク・サブフレームに対応するアップリンク・サブフレームがブランク・フレームである場合、ブランク・フレームに対応するダウンリンク・サブフレームとダウンリンク・サブフレームのアップリンク・フィードバック・サブフレームとの間のマッピング関係を含む設定されたハイブリッド自動再送要求（ＨＡＲＱ）タイミング関係に応じて、ユーザ端末（ＵＥ）によって、ブランク・フレームに対応するダウンリンク・サブフレームのアップリンク・フィードバック・サブフレームを決定することと、
アップリンク・フィードバック・サブフレーム上で、ＵＥによって、ブランク・フレームに対応するダウンリンク・サブフレームに関するデータフィードバックを基地局に送信することと、
を含む。
【０００８】
一態様では、基地局が提供され、この基地局は、
周波数分割複信（ＦＤＤ）ダウンリンク周波数帯域においてダウンリンク・サブフレームに対応するアップリンク・サブフレームがブランク・フレームである場合、ブランク・フレームに対応するダウンリンク・サブフレームとダウンリンク・サブフレームのアップリンク・フィードバック・サブフレームとの間のマッピング関係を含む設定されたハイブリッド自動再送要求（ＨＡＲＱ）タイミング関係に応じて、ブランク・フレームに対応するダウンリンク・サブフレームのアップリンク・フィードバック・サブフレームを決定するよう構成されている決定モジュールと、
決定モジュールによって決定されたアップリンク・フィードバック・サブフレーム上で、ブランク・フレームに対応するダウンリンク・サブフレームに関して、ＵＥによって送信されるデータフィードバックを受信するよう構成されている受信モジュールと、
を含む。
【０００９】
一態様では、ユーザ端末が提供され、このユーザ端末は、
周波数分割複信（ＦＤＤ）ダウンリンク周波数帯域においてダウンリンク・サブフレームに対応するアップリンク・サブフレームがブランク・フレームである場合、ブランク・フレームに対応するダウンリンク・サブフレームとダウンリンク・サブフレームのアップリンク・フィードバック・サブフレームとの間のマッピング関係を含む設定されたハイブリッド自動再送要求（ＨＡＲＱ）タイミング関係に応じて、ブランク・フレームに対応するダウンリンク・サブフレームのアップリンク・フィードバック・サブフレームを決定するよう構成されている第１の決定モジュールと、
第１の決定モジュールによって決定されたアップリンク・フィードバック・サブフレーム上で、ブランク・フレームに対応するダウンリンク・サブフレームに関するデータフィードバックを基地局に送信するよう構成されている送信モジュールと、
を含む。
【発明の効果】
【００１０】
本発明の実施形態では、ＨＡＲＱタイミング関係を設定することにより、ＦＤＤダウンリンク周波数帯域においてダウンリンク・サブフレームに対応するアップリンク・サブフレームがブランク・フレームである場合、設定されたＨＡＲＱタイミング関係に応じて、ブランク・フレームに対応するダウンリンク・サブフレームのアップリンク・フィードバック・サブフレームが決定され、決定されたアップリンク・フィードバック・サブフレームでダウンリンク・データ・フィードバックが実行され、そのため、ＵＬ周波数帯域のＵＬサブフレームに対応するＤＬ周波数帯域のＤＬサブフレームについてデータ・スケジューリングが実行され得る。したがって、ダウンリンクリソースの利用が改善される。本発明の実施形態の技術的解決手法を使用することにより、複数の再伝送回数によってアップリンク・フィードバックの問題を解決することが不必要であり、その結果、アクセスリンクのサービス品質が改善される。
【００１１】
ＦＤＤ  ＵＬ周波数帯域のＵＬサブフレームの一部がバックホールリンクに使用される場合、本発明の実施形態を使用することにより、ＵＬサブフレームの一部に対応するＦＤＤデータ伝送のフィードバックは、ＵＬサブフレームの一部を除いてＵＬサブフレーム上で実行され得る。したがって、ＤＬリソースの利用は、改善され、付加的な伝送遅延が発生させられず、アクセスリンクのＱｏＳへの影響が引き起こされない。
【図面の簡単な説明】
【００１２】
本発明の実施形態における技術的解決手法をより明瞭に説明するために、実施形態を説明するため必要とされる添付図面を以下で簡単に紹介する。明らかに、以下の説明における添付図面は、本発明の実施形態の一部を示すだけであり、当業者は、創造的な努力を要することなくこれらの添付図面から他の図面をさらに得てもよい。
【００１３】
【図１】図１は従来技術においてＴＤＤがＦＤＤ  ＵＬ周波数帯域で機能するシナリオを示した図である。
【図２】図２は従来技術においてＦＤＤの全周波数帯域がＤＬ伝送のため使用されるシナリオを示した図である。
【図３】図３は従来技術においてＴＤＤシステムがＦＤＤ  ＵＬリソースの一部を使用するシナリオを示した図である。
【図４】図４は従来技術においてＴＤＤシステムがＦＤＤ  ＵＬリソースの一部を使用する別のシナリオを示した図である。
【図５】図５は従来技術においてＴＤＤシステムがＦＤＤ  ＵＬリソースの一部を使用する別のシナリオを示した図である。
【図６】図６は従来技術においてＦＤＤ  ＵＬサブフレームの一部をダウンリンク伝送システムに使用するシナリオを示した図である。
【図７】図７は従来技術においてＦＤＤ  ＵＬ周波数帯域リソースの一部がバックホールリンクのため使用されるシナリオを示した図である。
【図８】図８は従来技術においてＦＤＤ  ＵＬ周波数帯域リソースの一部がバックホールリンクのため使用される別のシナリオを示した図である。
【図９】図９は従来技術においてＦＤＤ  ＵＬ周波数帯域リソースの一部がバックホールリンクのため使用される別のシナリオを示した図である。
【図１０】図１０は本発明の実施形態によるデータ伝送フィードバック方法の概略フローチャートを示した図である。
【図１１】図１１は本発明の実施形態による別のデータ伝送フィードバック方法の概略フローチャートを示した図である。
【図１２】図１２は本発明の実施形態による別のデータ伝送フィードバック方法の概略フローチャートを示した図である。
【図１３】図１３は本発明の実施形態による別のデータ伝送フィードバック方法の概略フローチャートを示した図である。
【図１４】図１４は本発明の実施形態による別のデータ伝送フィードバック方法の概略フローチャートを示した図である。
【図１５】図１５は本発明の実施形態による基地局の概略構成図を示した図である。
【図１６】図１６は本発明の実施形態によるＵＥの概略構成図を示した図である。
【発明を実施するための形態】
【００１４】
本発明の目的、技術的解決手法、及び利点をより分かりやすくするために、添付図面を参照して本発明を以下でさらに説明する。明らかに、説明された実施形態は、本発明の実施形態の全部ではなく一部に過ぎない。創造的な努力を要することなく本発明の実施形態に基づいて当業者によって取得されるすべての他の実施形態は、本発明の保護範囲に当然含まれる。
【００１５】
図１〜図６は、本発明の実施形態のアクセスリンクのアプリケーションシナリオである。本発明は、一例として異種型シナリオを使用し、同種シナリオアプリケーションは、異種シナリオアプリケーションと同じである。異種シナリオは、限定されることなく、本発明の実施形態において列挙されるシナリオを含む。本発明の実施形態は、一例としてマクロセル及びピコセルを使用して説明される。
【００１６】
マクロセルのアクセスリンクは以下の通りである。
【００１７】
ＤＬ（マクロセルから、このマクロセルのユーザ機器（ＭＵＥ、マクロセルのＵＥ）まで）：図においてＦＤＤ  ＤＬの白色ブロックによって示されるように、ＦＤＤ  ＤＬ周波数帯域を使用する。
【００１８】
ＵＬ（ＭＵＥからマクロセルまで）：図においてＦＤＤ  ＵＬ周波数帯域の中の斜線によりマークされたサブフレームによって示されるように、ＦＤＤ  ＵＬ周波数帯域の中のサブフレームの一部を使用する。
【００１９】
ピコセルは、２つのアクセスリンクを有する。
【００２０】
一つは、システムのコンフィギュレーションに応じて存在してもよく存在しなくてもよいＦＤＤアクセスリンクである。
【００２１】
ＤＬ（ピコ基地局から、ピコセルのユーザ機器ＰＵＥ（ピコセルのＵＥ）まで）：図においてＦＤＤ  ＤＬ周波数帯域の白色サブフレームによって示されるように、ＦＤＤ  ＤＬ周波数帯域を使用する。
【００２２】
ＵＬ（ピコ基地局からピコセルまで）：図においてＦＤＤ  ＵＬ周波数帯域の中の斜線によりマークされたサブフレームによって示されるように、ＦＤＤ  ＵＬ周波数帯域の中のサブフレームの一部を使用する。
【００２３】
もう一つは、ＦＤＤ  ＵＬの中のリソースを使用するＴＤＤアクセスリンクである。
【００２４】
ＤＬ（ピコ基地局から、ピコセルのユーザ機器ＰＵＥまで）：図においてＦＤＤ  ＵＬ周波数帯域の黒色点状格子状サブフレームにより示されるように、ＦＤＤ  ＵＬ周波数帯域を使用する。
【００２５】
ＵＬ（ピコ基地局からピコセルまで）：図においてＦＤＤ  ＵＬ周波数帯域の中の斜線でマークされたサブフレームにより示されるように、ＦＤＤ  ＵＬ周波数帯域の中のサブフレームの一部を使用する。
【００２６】
図７、図８及び図９に示されるように、アプリケーションシナリオでは、ＦＤＤ  ＵＬ周波数帯域リソースの一部は、マクロセルとピコセルとの間のバックホールリンクに使用される。
【００２７】
図７に示されるように、バックホールリンクは、以下を含む。
【００２８】
ＤＬ（マクロセルからピコセルまで）：図においてＦＤＤ  ＵＬ周波数帯域の中の斜線でマークされたサブフレームによって示されるように、ＦＤＤ  ＵＬ周波数帯域の中のサブフレームの一部を使用する。
【００２９】
ＵＬ（ピコセルからマクロセルまで）：図においてＦＤＤ  ＵＬ周波数帯域の中の格子状サブフレームによって示されるように、ＦＤＤ  ＵＬ周波数帯域の中のサブフレームの一部を使用する。
【００３０】
図８に示されるように、マクロセル及びピコセルでは、バックホールＤＬリンクとＦＤＤ  ＤＬ周波数帯域アクセスリンクとは、時分割多重化に基づいてＦＤＤ  ＤＬ周波数帯域を共用し、その一方では、ＦＤＤのバックホールＵＬリンクとＵＬ周波数帯域アクセスリンクとは、時分割多重化に基づいてＦＤＤ  ＵＬ周波数帯域を共用する。
【００３１】
マクロセルのアクセスリンク：
【００３２】
ＤＬ（マクロセルから、マクロセルのユーザ機器ＭＵＥまで）：図において左側のＦＤＤ  ＤＬ周波数帯域における白色ブロックの中のサブフレームと斜線でマークされたサブフレームとによって示されるように、ＦＤＤ  ＤＬ周波数帯域の中のサブフレームを使用し、図８に示されるように、白色ブロックの中のサブフレームは、ＦＤＤ  ＤＬアクセスリンクだけのために使用され、斜線でマークされたサブフレームは、バックホールＤＬリソースとして使用され、ＦＤＤ  ＤＬアクセスリンクによって共用され得る。
【００３３】
ＵＬ（マクロセルのユーザ機器から、マクロセルまで）：図において左側のＦＤＤ  ＤＬ周波数帯域の点状サブフレーム及び格子状サブフレームによって示されるように、ＦＤＤ  ＵＬ周波数帯域の中のサブフレームを使用し、図８に示されるように、点状サブフレームは、ＦＤＤ  ＵＬアクセスリンクだけのためにも使用され、格子状サブフレームは、バックホールＵＬリソースとして使用され、ＦＤＤ  ＵＬアクセスリンクによって共用され得る。
【００３４】
ピコセルは、以下の２つのアクセスリンクを有している：
【００３５】
ＦＤＤアクセスリンク：
【００３６】
ＤＬ（ピコセルから、ピコセルのユーザ機器ＰＵＥまで）：図において右側のＦＤＤ  ＤＬ周波数帯域の中の白色ブロックによって示されるように、ＦＤＤ  ＤＬ周波数帯域の中のサブフレームの一部を使用する。
【００３７】
ＵＬ（ＰＵＥからピコセルまで）：図において右側のＦＤＤ  ＵＬ周波数帯域の中の点状影によって示されるように、ＦＤＤ  ＵＬ周波数帯域の中のサブフレームの一部を使用する。
【００３８】
ＴＤＤアクセスリンク：
【００３９】
ＤＬ（ピコセルからＰＵＥまで）：図において右側のＦＤＤ  ＵＬ周波数帯域の中の黒色微細格子によって示されるように、ＦＤＤ  ＵＬ周波数帯域の中のサブフレームの一部を使用する。
【００４０】
ＵＬ（ＰＵＥからピコセルまで）：図において右側のＦＤＤ  ＵＬ周波数帯域の中の点状陰影状サブフレームによって示されるように、ＦＤＤ  ＵＬ周波数帯域の中のサブフレームの一部を使用する。
【００４１】
バックホールリンク：
【００４２】
ＤＬ（マクロセルからピコセルまで）：図においてＦＤＤ  ＤＬ周波数帯域の中の斜線でマークされた陰影状サブフレームによって示されるように、ＦＤＤ  ＤＬ周波数帯域の中のサブフレームの一部を使用する。
【００４３】
ＵＬ（ピコセルからマクロセルまで）：図において左側のＦＤＤ  ＵＬ周波数帯域の中の粗い格子及び右側の黒色微細格子によって示されるように、ＦＤＤ  ＵＬ周波数帯域の中のサブフレームの一部を使用する。
【００４４】
ピコセルの黒色微細格子状サブフレームにおいて、ピコセルのアクセスリンクの（ピコセルからＰＵＥまでの）ＤＬの送信と、バックホールリンクの（ピコセルからマクロセルまでの）ＵＬの送信とが同じサブフレームで実行される。
【００４５】
セルが同種セルである場合、ＦＤＤ  ＵＬリソースを使用するモードは、異種セルを使用するモードに類似し、同種セルは、マクロセルとマクロセル、又は、ピコセルとピコセルを含んでもよい。
【００４６】
先行のアプリケーションシナリオでは、ＦＤＤシステムのＵＬアクセス・リンク・リソースの一部がＴＤＤシステムのＤＬアクセス・リンク・リソース又は無線バックホール・リンク・リソースとして使用されるとき、ＦＤＤ  ＵＬ周波数帯域の中のＵＬサブフレーム上で送信されるデータ及びシグナリングと周波数帯域の中のＤＬサブフレーム上で受信されるデータ及びシグナリングとの干渉を回避するために、データ及びシグナリングの伝送は、ＦＤＤ  ＵＬ周波数帯域において、ＤＬサブフレームに対応し、干渉を有するＵＬサブフレーム（すなわち、ブランク・フレーム）上で実行されず、したがって、同じ周波数帯域を使用する２つの等価なアクセスシステムの間の干渉を回避する。
【００４７】
従来技術において、ＵＬ周波数帯域上でアップリンク・フィードバックに使用され得ないＵＬサブフレームに対応するＤＬ周波数帯域のＤＬサブフレームについてデータ・スケジューリングが実行されないので、ダウンリンクリソースの利用が著しく低減される。その上、ＵＬ周波数帯域上でアップリンク・フィードバックのために使用され得ないＵＬサブフレームに対応するＤＬ周波数帯域のＤＬサブフレームについてデータ・スケジューリングが実行される場合、アップリンク・フィードバックの問題は、複数の再送回数によってのみ解決可能であり、付加的なフィードバック遅延がデータ伝送に引き起こされることがあり、付加的なフィードバック遅延は、アクセスリンクのサービス品質（Ｑｕａｌｉｔｙ  ｏｆ  Ｓｅｒｖｉｃｅ、ＱｏＳ）に影響を与える。ＦＤＤ  ＵＬ周波数帯域のＵＬサブフレームの一部がバックホールリンクに使用され、ＵＬサブフレームのこの一部に対応するＦＤＤ  ＤＬサブフレームの一部のデータ伝送に関するＵＬサブフレームの一部のフィードバックの実行に失敗する結果を招く場合、ＤＬリソースの利用が低減されるか、又は、付加的な伝送遅延が発生させられ、アクセスリンクのＱｏＳが同様に影響を受ける。
【００４８】
上記問題を解決するために、本発明の実施形態は、以下の解決手法を提供する。
【００４９】
本発明の実施形態は、図１０ａに示されるように、以下を含むデータ伝送フィードバック方法を提供する。
【００５０】
１０ａ１：周波数分割複信（ＦＤＤ）ダウンリンク周波数帯域の中のダウンリンク・サブフレームに対応するアップリンク・サブフレームがブランク・フレームである場合、基地局は、設定されたハイブリッド自動再送要求（ＨＡＲＱ、ｈｙｂｒｉｄ  ａｕｔｏｍａｔｉｃ  ｒｅｐｅａｔ  ｒｅｑｕｅｓｔ）タイミング関係に応じて、ブランク・フレームに対応するダウンリンク・サブフレームに対応するアップリンク・フィードバック・サブフレームを決定し、ここで、ＨＡＲＱタイミング関係は、ブランク・フレームに対応するダウンリンク・サブフレームとダウンリンク・サブフレームに対応するアップリンク・フィードバック・サブフレームとの間のマッピング関係を含む。
【００５１】
１０ａ２：基地局は、アップリンク・フィードバック・サブフレーム上で、ブランク・フレームに対応するダウンリンク・サブフレームに関してＵＥによって送信されるデータフィードバックを受信する。
【００５２】
本発明の実施形態では、ＨＡＲＱタイミング関係を設定することにより、ＦＤＤダウンリンク周波数帯域の中のダウンリンク・サブフレームに対応するアップリンク・サブフレームがブランク・フレームであるとき、ブランク・フレームに対応するダウンリンク・サブフレームに対応するアップリンク・フィードバック・サブフレームが、設定されたＨＡＲＱタイミング関係に応じて決定され、決定されたアップリンク・フィードバック・サブフレーム上でダウンリンク・データ・フィードバックが実行されるので、ＵＬ周波数帯域のＵＬサブフレームに対応するＤＬ周波数帯域のＤＬサブフレームについてデータ・スケジューリングが実行され得る。したがって、ダウンリンクリソースの利用が改善される。本発明の実施形態の技術的解決手法を使用することにより、複数の再送回数によってアップリンク・フィードバックの問題を解決することは不必要であり、したがって、アクセスリンクのサービス品質が改善される。ＦＤＤ  ＵＬ周波数帯域のＵＬサブフレームの一部がバックホールリンクに使用される場合、本発明の実施形態を使用することにより、ＵＬサブフレームの一部に対応するＦＤＤデータ伝送のフィードバックは、ＵＬサブフレームの一部を除いてＵＬサブフレーム上で実行され得る。したがって、ＤＬリソースの利用が改善され、付加的な伝送遅延が発生されず、アクセスリンクのＱｏＳへの影響が引き起こされない。
【００５３】
本発明の実施形態は、図１０ｂに示されるように、以下を含むデータ伝送フィードバック方法を提供する。
【００５４】
１０ｂ１：周波数分割複信（ＦＤＤ）ダウンリンク周波数帯域の中のダウンリンク・サブフレームに対応するアップリンク・サブフレームがブランク・フレームである場合、ユーザ端末（ＵＥ）は、設定されたハイブリッド自動再送要求（ＨＡＲＱ）タイミング関係に応じて、ブランク・フレームに対応するダウンリンク・サブフレームのアップリンク・フィードバック・サブフレームを決定し、ここで、ＨＡＲＱタイミング関係は、ブランク・フレームに対応するダウンリンク・サブフレームとダウンリンク・サブフレームのアップリンク・フィードバック・サブフレームとの間のマッピング関係を含む。
【００５５】
１０ｂ２：ＵＥは、アップリンク・フィードバック・サブフレーム上で、ブランク・フレームに対応するダウンリンク・サブフレームに関してデータフィードバックを基地局に送信する。
【００５６】
本発明の実施形態では、ＨＡＲＱタイミング関係を設定することにより、ＦＤＤダウンリンク周波数帯域の中のダウンリンク・サブフレームに対応するアップリンク・サブフレームがブランク・フレームであるとき、ブランク・フレームに対応するダウンリンク・サブフレームのアップリンク・フィードバック・サブフレームは、設定されたＨＡＲＱタイミング関係に応じて決定され、ダウンリンク・データ・フィードバックは、決定されたアップリンク・フィードバック・サブフレーム上で実行されるので、ＵＬ周波数帯域のＵＬサブフレームに対応するＤＬ周波数帯域のＤＬサブフレームについてデータ・スケジューリングが実行され得る。したがって、ダウンリンクリソースの利用が改善される。本発明の実施形態の技術的解決手法を使用することにより、複数の再送回数によってアップリンク・フィードバックの問題を解決することは不必要であり、したがって、アクセスリンクのサービス品質が改善される。ＦＤＤ  ＵＬ周波数帯域のＵＬサブフレームの一部がバックホールリンクに使用される場合、本発明の実施形態を使用することにより、ＵＬサブフレームの一部を除いてＵＬサブフレーム上でＵＬサブフレームの一部に対応するＦＤＤデータ伝送のフィードバックが実行され得る。したがって、ＤＬリソースの利用が改善され、付加的な伝送遅延が発生されず、アクセスリンクのＱｏＳへの影響が引き起こされない。
【００５７】
本発明の実施形態は、データ伝送フィードバック方法を提供する。本実施形態では、ＨＡＲＱタイミング関係が設定され、ＨＡＲＱタイミング関係を設定することは、ブランク・フレームのフレーム番号から、ＴＤＤ  ＨＡＲＱタイミング関係に応じて、ＦＤＤ  ＵＬ周波数帯域の中のブランク・フレームに対応するＤＬデータのＵＬフィードバック・サブフレームを決定することである。設定されたＨＡＲＱタイミング関係は、基地局又はＵＥ又はプロトコルによって設定されてもよい。本発明は、ＨＡＲＱタイミング関係を設定する実体を限定しない。本実施形態は、以下を含む。
【００５８】
ブランク・フレームは、ＵＬフィードバックに使用され得ないＵＬサブフレーム、例えば、ＵＬデータ及びシグナリングを伝送しないサブフレーム、ＵＬ周波数帯域上のＴＤＭ（時分割多重化）アクセスリンクＤＬサブフレーム、又は、ＵＬ周波数帯域上のバックホール・サブフレーム、又は、他の理由のためアップリンク・フィードバックに使用され得ないサブフレームを含む。
【００５９】
ＦＤＤ  ＤＬ周波数帯域の中のＤＬサブフレームに対応するＦＤＤ  ＵＬ周波数帯域のＵＬサブフレームが非ブランク・フレームである場合、ＦＤＤ  ＨＡＲＱフィードバックタイミングは、フィードバックに使用される。
【００６０】
１１０１：ＨＡＲＱタイミング関係を設定し、ここで、ＨＡＲＱタイミング関係は、ＦＤＤ  ＤＬ周波数帯域の中のＤＬサブフレームに対応するＦＤＤ  ＵＬ周波数帯域のＵＬサブフレームがブランク・フレームである場合、ブランク・フレームのフレーム番号から、ＴＤＤ  ＨＡＲＱタイミング関係に応じて、ブランク・フレームに対応するダウンリンク・サブフレームのアップリンク・フィードバック・サブフレームを決定することを含む。
【００６１】
ステップ１１０１において設定されたＨＡＲＱタイミング関係は、既存のＴＤＤコンフィギュレーションテーブル及びＴＤＤ  ＨＡＲＱタイミング関係テーブルに基づいて設定されてもよい。
【００６２】
表１は、既存のＴＤＤコンフィギュレーションテーブルであり、表２は、既存のＴＤＤ  ＨＡＲＱタイミング関係テーブルである。ＴＤＤコンフィギュレーションのＫ値は、ダウンリンク・サブフレームとダウンリンク・サブフレームのアップリンク・フィードバック・サブフレームとの間のフレームオフセットであり、−は、ＵＬサブフレームである。
【００６３】
【表１】
0005571250.tif 000002
【００６４】
【表２】
0005571250.tif 000003
【００６５】
従来技術におけるＦＤＤ  ＨＡＲＱフィードバック解決手法によれば、ＦＤＤ  ＤＬ周波数帯域の中のＤＬサブフレームに対応するＦＤＤ  ＵＬ周波数帯域のＵＬサブフレームがブランク・フレーム、例えば、ＦＤＤ  ＤＬ周波数帯域の中のサブフレーム１、２、６及び７である場合、ＤＬサブフレームのＵＬフィードバック・サブフレームは、ＦＤＤ  ＵＬ周波数帯域の中のＵＬサブフレーム５及び６、及び次の無線フレームの無線サブフレーム０及び１である。ＦＤＤ  ＵＬ周波数帯域の中のＵＬサブフレーム５及び６、及び次の無線フレームの無線サブフレーム０及び１は、近傍セルのＴＤＤアクセスリンクのＤＬサブフレーム（ＴＤＤコンフィギュレーション０のＤＬサブフレームは、０、１、５及び６である）と干渉し、ブランク・フレームとして設定されるので、これらのフレームは、ＵＬフィードバックには使用できず、すなわち、ＦＤＤ  ＵＬ周波数帯域の中のＵＬサブフレーム５及び６、及び次の無線フレームの無線サブフレーム０及び１は、ＤＬデータ伝送のＵＬフィードバックには使用できない。
【００６６】
上記干渉回避関係のため、ＦＤＤ  ＵＬ周波数帯域の中のＵＬサブフレーム５及び６と次の無線フレームの無線サブフレーム０及び１とは、表１の中のＴＤＤシステムにおけるコンフィギュレーション０のＤＬサブフレーム５及び６と次の無線フレームの無線サブフレーム０及び１とに対応する。表３、表４及び表５の中のＴＤＤコンフィギュレーションは、ＦＤＤ  ＵＬブランク・フレームのコンフィギュレーションと類似し、表６の中のＤＬサブフレームコンフィギュレーションは、ブランク・フレーム・コンフィギュレーションに類似する。説明をより明確にするために、ＴＤＤコンフィギュレーションが一例として使用される。
【００６７】
ＦＤＤ  ＨＡＲＱタイミング関係によれば、ＤＬ周波数帯域の中のダウンリンク・サブフレーム（ｎ）に対応するアップリンク・サブフレーム（ｎ＋４）は、ダウンリンク・サブフレームｎのＵＬフィードバック・サブフレームとして使用される。例えば、ＦＤＤ  ＨＡＲＱタイミング関係によれば、ＦＤＤ  ＤＬ周波数帯域の中のダウンリンク・サブフレーム１、２、６及び７のＵＬフィードバック・サブフレームは、図１１において点線によって指示される、ＵＬサブフレーム５及び６と、次の無線フレームの無線サブフレーム０及び１とである。しかし、ＵＬサブフレーム５及び６と次の無線フレームの無線サブフレーム０及び１とは、すべてブランク・フレームであり、データフィードバックに使用できない。ブランク・フレームのフレーム番号から、表２の中のＴＤＤ  ＨＡＲＱタイミング・フィードバック関係が使用され、すなわち、ブランク・フレームに対応するＦＤＤ  ＤＬ周波数帯域の中のＤＬサブフレームｎに対応するＦＤＤ  ＵＬ周波数帯域のＵＬサブフレーム（ブランク・フレーム）は、ｎ＋４であり、ブランク・フレームから、最終的に決定されるアップリンク・フィードバック・サブフレームは、（ｎ＋４）＋ｋであり、ｋは、表２の中のＴＤＤ  ＨＡＲＱタイミング表の中のｋである。ブランク・フレームに対応するＦＤＤ  ＤＬ周波数帯域の中のＤＬサブフレームｎから、ＦＤＤ  ＵＬ周波数帯域のアップリンク・フィードバック・サブフレームｎ＋（４＋ｋ）まで、新しいタイミング関係Ｋ’＝ｋ＋４が形成される。他の非ブランク・フレームに対応するＦＤＤ  ＤＬ周波数帯域の中のＤＬサブフレームｎからＦＤＤ  ＵＬ周波数帯域のアップリンク・フィードバック・サブフレームまで、タイミング関係Ｋ’＝４である。表３に示されるように、「−」は、ＦＤＤタイミング、すなわち、Ｋ’＝４を示し、他のタイミング関係は、Ｋ’＝ｋ＋４である。表３の中の灰色部分は、自由に選択でき、表３の中に反映されなくてもよい。
【００６８】
【表３】
0005571250.tif 000004
【００６９】
干渉回避のため、ＦＤＤ  ＵＬサブフレームのうち、ＴＤＤコンフィギュレーションの中のＤＬサブフレームに対応するＦＤＤ  ＵＬ周波数帯域のＵＬサブフレームは、ブランク・フレームである。以下では、一例として。表１の中のＴＤＤコンフィギュレーション０を使用し、他のコンフィギュレーション（例えば、ＴＤＤコンフィギュレーション１からＴＤＤコンフィギュレーション６）の動作は、コンフィギュレーション０の動作に類似する。
【００７０】
１１０２：ＦＤＤ  ＤＬ周波数帯域の中のＤＬサブフレームに対応するＵＬサブフレームがブランク・フレームである場合、設定されたＨＡＲＱタイミング関係に応じて、ブランク・フレームに対応するＤＬサブフレームのＵＬフィードバック・サブフレームの位置を決定する。
【００７１】
ブランク・サブフレームの位置は、基地局によって設定され、ＵＥは、基地局のブロードキャストによって又は専用シグナリング通知を介して、この位置を知ってもよい。
【００７２】
例えば、基地局は、ブランク・フレームのコンフィギュレーションがＦＤＤ  ＵＬ周波数帯域の中のＵＬサブフレーム０、１、５及び６であることをＵＥに通知する。
【００７３】
ＤＬサブフレーム１、２、６及び７は、ＦＤＤ  ＵＬ周波数帯域の中のＵＬサブフレーム５及び６と、次の無線フレームのＵＬサブフレーム０及び１と、ＴＤＤシステムにおけるコンフィギュレーション０のＤＬサブフレーム５及び６と、次の無線フレームのサブフレーム０及び１とに対応し、サブフレーム５及び６と次の無線フレーム０及び１とは、基地局によって通知されたコンフィギュレーションに記載されるように、ブランク・フレームである。このコンフィギュレーションは、ＴＤＤコンフィギュレーション０と一致する。設定されたＨＡＲＱタイミング関係に従って、検索が、ＴＤＤコンフィギュレーション０、及びＦＤＤ  ＤＬ周波数帯域の中のＤＬサブフレーム番号に応じて表３において実行され、ＦＤＤ  ＤＬ周波数帯域の中のＤＬサブフレーム１、２、６及び７のＵＬフィードバック・サブフレームがそれぞれ、サブフレーム１のＵＬフィードバック・サブフレームがサブフレーム１＋８＝９であり、サブフレーム２のＵＬフィードバック・サブフレームがサブフレーム２＋１０＝１２、すなわち、次の無線フレームの無線サブフレーム２であり、サブフレーム６のＵＬフィードバック・サブフレームがサブフレーム６＋８＝１４、すなわち、次の無線フレームの無線サブフレーム４であり、サブフレーム７のＵＬフィードバック・サブフレームがサブフレーム７＋１０＝１７、すなわち、次の無線フレームの無線サブフレーム７であると決定する。
【００７４】
ＦＤＤ  ＤＬ周波数帯域の中のＤＬサブフレームに対応するＦＤＤ  ＵＬ周波数帯域のＵＬサブフレームが非ブランク・フレームである場合、ＦＤＤ  ＨＡＲＱフィードバックタイミングがフィードバックに使用される。例えば、ＦＤＤ  ＨＡＲＱフィードバックタイミングシーケンスに従って、ＦＤＤ  ＤＬ周波数帯域の中のＤＬサブフレーム０、３、４、５、８及び９は、ＦＤＤ  ＵＬ周波数帯域の中のＵＬサブフレーム４、７、８及び９と次の無線フレームの無線サブフレーム２及び３とに対応する。ＦＤＤ  ＵＬ周波数帯域の中のＵＬサブフレーム２、３、４、７、８及び９は、アップリンク・サブフレームであり、非ブランク・フレームであるため、ＦＤＤ  ＤＬ周波数帯域の中のＤＬサブフレームの対応するアップリンク・フィードバックが実行されてもよい。
【００７５】
ＦＤＤ  ＨＡＲＱタイミング関係に従って、ＦＤＤ  ＤＬ周波数帯域の中のＤＬサブフレームに対応するＦＤＤ  ＵＬ周波数帯域のＵＬサブフレームがブランク・フレーム、例えば、ＦＤＤ  ＤＬ周波数帯域内のサブフレーム１、２、６及び７である場合、ＦＤＤ  ＨＡＲＱタイミング関係によれば、ＤＬサブフレームのＵＬフィードバック・サブフレームは、ＦＤＤ  ＵＬ周波数帯域の中のＵＬサブフレーム５及び６と、次の無線サブフレームの無線サブフレーム０及び１とである。干渉回避関係のため、ＦＤＤ  ＵＬ周波数帯域の中のＵＬサブフレーム５及び６と次の無線フレームの無線サブフレーム０及び１とは、ＴＤＤシステムにおけるコンフィギュレーション０のＤＬサブフレーム５及び６と次の無線フレームの無線サブフレーム０及び１とに１対１の原則で対応し、ブランク・フレームとして設定され、ＵＬフィードバックに使用され得ない。
【００７６】
ＦＤＤ  ＤＬサブフレーム番号、ＦＤＤ  ＵＬサブフレーム番号、及びＴＤＤサブフレーム番号が同じである場合、この関係は、直接マッピングと呼ばれる。
【００７７】
ＦＤＤ  ＤＬ周波数帯域の中のＤＬサブフレーム（ｎ）のダウンリンク・データに直接的に対応するＵＬフィードバック・サブフレームがブランク・フレームであるとき、設定されたＨＡＲＱタイミングに応じてフィードバックが実行される。ＤＬサブフレームに直接的に関係するアップリンク・サブフレームから、ＴＤＤ  ＨＡＲＱタイミングが使用され、ダウンリンク・データの決定されたアップリンク・フィードバック・サブフレームは、ｎ＋ｋであり、すなわち、この場合、ＨＡＲＱタイミングのマッピング関係は、Ｋ’＝ｋである。
【００７８】
図１２に示されるように、上述からわかるように、ＦＤＤ  ＤＬ周波数帯域の中のサブフレーム１、２、６及び７のＦＤＤ  ＨＡＲＱフィードバックに対するＵＬサブフレーム５及び６と次の無線フレームの無線サブフレーム０及び１とは、ブランク・フレームであり、ＦＤＤ  ＤＬ周波数帯域の中のサブフレーム１及び６に直接的に対応するＵＬサブフレームもブランク・フレームであり、ブランク・フレームの位置すべてがＴＤＤコンフィギュレーション０の中のＤＬタイムスロット位置と整合している。この場合、ＦＤＤ  ＤＬ周波数帯域の中のサブフレーム１及び６のＵＬフィードバック・サブフレームは、ＴＤＤコンフィギュレーション０におけるＴＤＤ  ＨＡＲＱタイミングの中のＤＬサブフレーム１及び６のフィードバックパラメータＫ’＝ｋを直接的に使用し、パラメータは、それぞれ、６及び６である。したがって、ＵＬフィードバック・サブフレームの位置は、サブフレーム１＋６＝７及び６＋６＝１２と、次の無線フレームの無線サブフレーム２とである。
【００７９】
しかし、ＤＬサブフレーム２及び７に対して、ＦＤＤタイミング・フィードバック関係に従って、ＦＤＤ  ＤＬ周波数帯域の中のサブフレーム２及び７に直接的に対応するＵＬサブフレーム２及び７は、ブランク・フレームではない。設定されたＨＡＲＱタイミングを使用して、ＦＤＤ  ＤＬ周波数帯域の中のＤＬサブフレームに対応するブランク・フレームから、ＴＤＤ  ＨＡＲＱタイミングに応じて、ブランク・フレームに対応するダウンリンク・データ・フィードバックのためのＵＬサブフレームが、ＵＬフィードバック・サブフレームとして使用される。ＦＤＤ  ＤＬ周波数帯域の中のＤＬサブフレームに対応するダウンリンク・データ・フィードバックのためのＵＬサブフレームは、（ｎ＋４）＋ｋであり、ＴＤＤ  ＨＡＲＱタイミング・フィードバック関係は、ブランク・フレームのフレーム番号から使用される。この場合、ブランク・フレームに対応するＦＤＤ  ＤＬ周波数帯域の中のＤＬサブフレームｎから、ＦＤＤ  ＵＬ周波数帯域の中のアップリンク・フィードバック・サブフレームｎ＋（４＋ｋ）まで、新しいタイミング関係Ｋ’＝ｋ＋４が形成される。
【００８０】
ＦＤＤ  ＤＬ周波数帯域の中のＤＬサブフレームに対応するブランク・フレームから、ＴＤＤ  ＨＡＲＱタイミングに応じて、ブランク・フレームに対応するダウンリンク・データ・フィードバックのためのＵＬサブフレームが、ＵＬフィードバック・サブフレームとして使用され、すなわち、Ｋ’＝ｋ＋４であり、表４の中に示された新しいタイミング関係が形成され、斜線でマークされた部分は、ＴＤＤタイミングＫ’＝ｋを表し、「−」部分は、ＦＤＤタイミング、すなわち、Ｋ’＝４を示し、他のタイミングは、Ｋ’＝ｋ＋４である。表４の中の灰色部分は、自由に選択でき、表４の中に反映されなくでもよい。
【００８１】
【表４】
0005571250.tif 000005
【００８２】
一例として、ＴＤＤコンフィギュレーション０をさらに使用すると、干渉回避のため、ＦＤＤ  ＵＬサブフレームのうち、ＴＤＤコンフィギュレーションにおけるＤＬサブフレームに対応するＦＤＤ  ＵＬ周波数帯域のＵＬサブフレームが、ブランク・フレームであり、他のコンフィギュレーションの動作は、コンフィギュレーション０の動作と完全に同じである。
【００８３】
ＴＤＤコンフィギュレーション０では、ＤＬサブフレームは、ブランク・フレーム０、１、５及び６と１、２、６及び７にそれぞれに対応する。表４の中で、ＴＤＤコンフィギュレーション０、又はブランク・フレーム・コンフィギュレーション０、及びＦＤＤ  ＤＬ周波数帯域の中のＤＬサブフレーム番号に応じて、検索が、ＦＤＤ  ＤＬ周波数帯域の中のＤＬサブフレーム１、２、６及び７のＵＬフィードバック・サブフレームを決定するために実行され、サブフレーム１のＵＬフィードバック・サブフレームは、サブフレーム１＋６＝７であり、サブフレーム２のＵＬフィードバック・サブフレームは、サブフレーム２＋１０＝１２、すなわち、次の無線フレームの無線サブフレーム２であり、サブフレーム６のＵＬフィードバック・サブフレームは、サブフレーム６＋６＝１２、すなわち、次の無線フレームの無線サブフレーム２であり、サブフレーム７のＵＬフィードバック・サブフレームは、サブフレーム７＋１０＝１７、すなわち、次の無線フレームの無線サブフレーム７である。
【００８４】
１１０３：ＦＤＤ  ＨＡＲＱタイミング関係又は直接マッピング関係に従って、基地局は、ブランク・フレームに対応するＦＤＤ  ＤＬ周波数帯域の中のＤＬサブフレームのＤＬデータ・スケジューリングを実行する。
【００８５】
例えば、第１の実施形態では、基地局は、ダウンリンク・サブフレーム１、２、６及び７のダウンリンク・データ・スケジューリングを実行する。
【００８６】
１１０４：ＦＤＤ  ＨＡＲＱタイミング関係又は直接マッピング関係に従って、ＵＥは、ブランク・フレームに対応するＦＤＤ  ＤＬ周波数帯域の中のＤＬサブフレームについてスケジュールされたＤＬデータを受信する。
【００８７】
例えば、第１の実施形態では、ＵＥは、ダウンリンク・サブフレーム１、２、６及び７についてのダウンリンク・データを受信する。
【００８８】
１１０５：設定されたＨＡＲＱタイミング関係に従って、ＵＥは、ブランク・フレームに対応するＤＬデータのＵＬフィードバック・サブフレームの位置においてダウンリンク・データ・フィードバックを実行する。
【００８９】
例えば、第１の実施形態では、ＵＥは、設定されたＨＡＲＱタイミング関係に応じたＨＡＲＱタイミング関係テーブルを取得し、タイミング関係テーブルを検索することにより、ダウンリンク・サブフレーム１、２、６及び７のアップリンク・フィードバック・サブフレームを取得し、アップリンク・フィードバック・サブフレームはそれぞれ、９、１２（次の無線フレームの無線サブフレーム２）、１４（次の無線フレームの無線サブフレーム４）、及び１７（次の無線フレームの無線サブフレーム７）である。そして、ＵＥは、アップリンク・フィードバック・サブフレーム上でアップリンク・フィードバックを送信する。
【００９０】
１１０６：設定されたＨＡＲＱタイミング関係に従って、基地局は、ブランク・フレームに対応するＤＬデータのＵＬフィードバック・サブフレームの位置においてダウンリンク・データ・フィードバックを受信する。
【００９１】
例えば、第１の実施形態では、基地局は、設定されたＨＡＲＱタイミング関係に応じたＨＡＲＱタイミング関係テーブルを取得し、タイミング関係テーブルを検索することにより、ダウンリンク・サブフレーム１、２、６及び７のアップリンク・フィードバック・サブフレームを取得し、アップリンク・フィードバック・サブフレームはそれぞれ、９、１２（次の無線フレームの無線サブフレーム２）、１４（次の無線フレームの無線サブフレーム）、及び１７（次の無線フレームの無線サブフレーム７）であり、基地局は、アップリンク・フィードバック・サブフレーム上でアップリンク・フィードバックを受信する。
【００９２】
本発明の実施形態では、ＨＡＲＱタイミング関係が設定され、このＨＡＲＱタイミング関係は、ＦＤＤ  ＤＬ周波数帯域の中のＤＬサブフレームに対応するＦＤＤ  ＵＬ周波数帯域のＵＬサブフレームがブランク・フレームである場合、ブランク・フレームのフレーム番号から、ＴＤＤ  ＨＡＲＱタイミング関係に応じて、ブランク・フレームに対応するダウンリンク・サブフレームのアップリンク・フィードバック・サブフレームを決定することを含む。したがって、複数の再伝送回数によってアップリンク・フィードバックの問題を解決することが不必要であり、アクセスリンクのサービス品質が改善される。ＦＤＤ  ＵＬ周波数帯域のＵＬサブフレームの一部がバックホールリンクに使用される場合、本発明の実施形態を使用することにより、ＵＬサブフレームの一部に対応するＦＤＤデータ伝送のフィードバックは、ＵＬサブフレームの一部を除いてＵＬサブフレーム上で実行され得る。したがって、ＤＬリソースの利用が改善され、付加的な伝送遅延が発生されず、アクセスリンクのＱｏｓへの影響が引き起こされない。
【００９３】
図１３及び図１４は、本発明によるデータ伝送フィードバック方法の実施形態である。本実施形態では、ＨＡＲＱタイミング関係が設定される。ＨＡＲＱタイミング関係を使用することにより、ブランク・フレームｎの近傍のＸ個のサブフレームのうち、１個のサブフレームが、ブランク・フレームに対応するダウンリンク・データのアップリンク・フィードバック・サブフレームとして負荷分散（ロードバランシング）原理に応じてＸ個のサブフレームから選択される。ＨＡＲＱタイミング関係は、基地局又はＵＥ又はプロトコルによって設定されてもよく、本発明は、ＨＡＲＱタイミング関係を設定する実体（エンティティ）を限定しない。本実施形態は、以下を含む。
【００９４】
５０１：ＨＡＲＱタイミング関係を設定し、ＨＡＲＱタイミング関係は、ブランク・フレームの近傍のＸ個のサブフレームのうち、負荷分散原理に応じてＸ個のサブフレームから１個のサブフレームを選択し、選択されたフレームは、ブランク・フレームに対応するダウンリンク・データのアップリンク・フィードバック・サブフレームとして使用される。
【００９５】
５０２：ＦＤＤ  ＤＬ周波数帯域の中のＤＬサブフレームのＦＤＤ  ＨＡＲＱフィードバックタイミングに対応するＵＬサブフレームがブランク・フレームである場合、設定されたＨＡＲＱタイミング関係に応じてＸ個のサブフレームから１個のサブフレームを選択し、選択されたサブフレームは、ブランク・フレームに対応するダウンリンク・データのアップリンク・フィードバック・サブフレームとして使用される。
【００９６】
ＦＤＤ  ＤＬ周波数帯域の中のＤＬサブフレームに対応するＦＤＤ  ＵＬ周波数帯域のＵＬサブフレームが非ブランク・フレームである場合、ＦＤＤ  ＨＡＲＱフィードバックタイミングは、フィードバックに使用される。
【００９７】
ＦＤＤ  ＤＬ周波数帯域の中のＤＬサブフレームに対応するＦＤＤ  ＵＬ周波数帯域のＵＬサブフレームがブランク・フレーム、例えば、ＦＤＤ  ＤＬ周波数帯域の中のサブフレーム１、２、６及び７である場合、従来技術におけるフィードバック解決手法によれば、ＤＬサブフレームのＵＬフィードバック・サブフレームは、ＦＤＤ  ＵＬ周波数帯域の中のＵＬサブフレーム５及び６と次の無線フレームの無線サブフレーム０及び１とである。干渉回避関係のため、ＦＤＤ  ＵＬ周波数帯域の中のＵＬサブフレーム５及び６と、次の無線フレームの無線サブフレーム０及び１とは、ＴＤＤシステムにおけるコンフィギュレーション０のＤＬサブフレーム５及び６と、次の無線フレームの無線サブフレーム０及び１とに１対１の原則で対応し、ブランク・フレームとして設定され、ＵＬフィードバックに使用され得ない。
【００９８】
図１３及び１４に示されるように、ブランク・フレームの近傍のＸ個のサブフレームのうちで、１個のサブフレームが、ブランク・フレームに対応するダウンリンク・データのアップリンク・フィードバック・サブフレームとして負荷分散原理に応じてＸ個のサブフレームから選択される。このようにして、表５に示されるように、新しいＨＡＲＱフィードバックタイミングが形成される。
【００９９】
表５の中の灰色部分は、自由に選択でき、表５の中に反映されなくてもよい。
【０１００】
【表５】
0005571250.tif 000006
【０１０１】
上記干渉回避関係のため、ブランク・フレームは、０、１、５及び６であり、これらは、ＴＤＤコンフィギュレーション０におけるダウンリンク・サブフレームのコンフィギュレーションを満たす。ブランク・フレーム０、１、５及び６に対応するＦＤＤ  ＤＬサブフレームはそれぞれ、１、２、６及び７であり、表５の中で、検索が、ＴＤＤコンフィギュレーション０、又はブランク・フレーム・コンフィギュレーション０、及びＦＤＤ  ＤＬ周波数帯域の中のＤＬサブフレーム番号に応じて実行され、ＦＤＤ  ＤＬ周波数帯域の中のＤＬサブフレーム６、７、１及び２のＵＬフィードバック・サブフレームが以下のとおり決定される。サブフレーム１のＵＬフィードバック・サブフレームは、サブフレーム１＋６＝７、又は、サブフレーム１＋７＝８、又は、サブフレーム１＋８＝９でもよく、サブフレーム２のＵＬフィードバック・サブフレームは、サブフレーム２＋５＝７、又は、サブフレーム２＋６＝８、又は、サブフレーム２＋７＝９であり、サブフレーム６のＵＬフィードバック・サブフレームは、サブフレーム６＋６＝１２、すなわち、次の無線フレームの無線サブフレーム２、又は、サブフレーム６＋７＝１３、すなわち、次の無線フレームの無線サブフレーム３、又は、サブフレーム６＋８＝１４、すなわち、次の無線フレームの無線サブフレーム４であり、サブフレーム７のＵＬフィードバック・サブフレームは、サブフレーム７＋５＝１２、すなわち、次の無線フレームの無線サブフレーム２、サブフレーム７＋６＝１３、すなわち、次の無線フレームの無線サブフレーム３、及び、サブフレーム７＋７＝１４、すなわち、次の無線フレームの無線サブフレーム４である。
【０１０２】
表５に示されるように、表の中の複数の値は、複数のフィードバック値である。ＵＥは、フィードバックを実行するために、負荷分散原理に応じて値からいずれか１つを選択できるので、複数のＵＬフィードバック・サブフレーム上でのアップリンク・フィードバックは、比較的バランスが保たれる。フィードバック値の一部は、表５から選択され、複数の新しいフィードバック・サブテーブルを形成する。複数のフィードバック・サブテーブルを使用する方法は、表５の方法と類似し、ここでは１つずつ説明しない。
【０１０３】
例えば、ダウンリンク・サブフレーム１、２、６及び７のフィードバックのため、サブフレーム１はサブフレーム７へフィードバックされ、サブフレーム２は、サブフレーム７上の過剰なアップリンク・フィードバックを回避するために、好ましくは、サブフレーム７へフィードバックされず、サブフレーム２はサブフレーム８へフィードバックされてもよい。同じ状況がサブフレーム６及び７のフィードバックにも当てはまる。サブフレーム６及び７は、アップリンク・フィードバックの分散を実施するために、好ましくは、異なったアップリンク・サブフレームへフィードバックされ、例えば、サブフレーム６はサブフレーム１２へフィードバックされてもよく、サブフレーム７はサブフレーム１３へフィードバックされてもよい。
【０１０４】
図２及び図６において、ＦＤＤ  ＵＬ周波数帯域においてダウンリンク・データを伝送するサブフレームは、ＴＤＤコンフィギュレーションと互換性がない。この場合、ＨＡＲＱタイミング・フィードバックは、ＴＤＤ  ＨＡＲＱフィードバックモードに基づくことができない。
【０１０５】
ＦＤＤ  ＤＬ周波数帯域の中のＤＬサブフレームに対応するＦＤＤ  ＵＬ周波数帯域のＵＬサブフレームが非ブランク・フレームである場合、ＦＤＤ  ＨＡＲＱフィードバックタイミングがフィードバックに使用される。
【０１０６】
ＦＤＤ  ＤＬ周波数帯域の中のＤＬサブフレームに対応するＦＤＤ  ＵＬ周波数帯域のＵＬサブフレームがブランク・フレーム、例えば、ＦＤＤ  ＤＬ周波数帯域の中のサブフレーム６、７、８及び９である場合、従来技術におけるフィードバック解決手法によれば、ＤＬサブフレームのＵＬフィードバック・サブフレームは、ＦＤＤ  ＵＬ周波数帯域の中のＵＬサブフレーム０、１、２及び３である。干渉回避関係のため、ＦＤＤ  ＵＬ周波数帯域の中のＵＬサブフレーム０、１、２及び３は、１対１の原則でＴＤＭモードにおいて送信されるＤＬサブフレーム０、１、２及び３に対応し、ブランク・フレームとして設定され、ＵＬフィードバックのためには使用され得ない。
【０１０７】
上記問題を解決するために、設定されたＨＡＲＱタイミング関係、すなわち、表６によれば、ブランク・フレームの近傍のＸ個のサブフレームのうち、１個のサブフレームがＸ個のサブフレームから負荷分散原理に応じて選択され、選択されたサブフレームは、ブランク・フレームに対応するダウンリンク・データのアップリンク・フィードバック・サブフレームとして使用される。このようにして、表６に示されるように、新しいＨＡＲＱフィードバックタイミングが形成される。
【０１０８】
【表６】
0005571250.tif 000007
【０１０９】
図２及び図６に示されるように、ＤＬサブフレームの個数（ブランク・サブフレームの個数）が４個であり、ＤＬサブフレームオフセットが０であるとき、ブランク・サブフレームの位置は、０、１、２及び３であり、ＦＤＤ  ＨＡＲＱタイミングに対応するＤＬサブフレームは、６、７、８及び９である。表６によれば、負荷分散原理に応じて、ＦＤＤ  ＤＬサブフレーム６に対応するＵＬフィードバック・サブフレームは、次の無線フレームの無線サブフレーム｛４，５，６，７，８，９｝のうちの１つに対応する、６＋｛８，９，１０，１１，１２，１３｝＝｛１４，１５，１６，１７，１８，１９｝であり、ＦＤＤ  ＤＬサブフレーム７に対応するＵＬフィードバック・サブフレームは、次の無線フレームの無線サブフレーム｛４，５，６，７，８，９｝のうちのいずれか１つに対応する、７＋｛７，８，９，１０，１１，１２｝＝｛１４，１５，１６，１７，１８，１９｝であり、ＦＤＤ  ＤＬサブフレーム８に対応するＵＬフィードバック・サブフレームは、次の無線フレームの無線サブフレーム｛４，５，６，７，８，９｝のうちのいずれか１つに対応する、８＋｛６，７，８，９，１０，１１｝＝｛１４，１５，１６，１７，１８，１９｝であり、ＦＤＤ  ＤＬサブフレーム９に対応するＵＬフィードバック・サブフレームは、次の無線フレームの無線サブフレーム｛４，５，６，７，８，９｝のうちのいずれか１つに対応する、９＋｛５，６，７，８，９，１０｝＝｛１４，１５，１６，１７，１８，１９｝である。
【０１１０】
表６に示されるように、表の中の複数の値は、複数のフィードバック値である。ＵＥは、フィードバックを実行するために、負荷分散原理に応じて値からいずれか１つを選択できるので、複数のＵＬフィードバック・サブフレーム上のアップリンク・フィードバックは、比較的バランスが保たれる。フィードバック値の一部は、表６から選択することが可能であり、複数の新しいフィードバック・サブテーブルを形成し得る。複数のフィードバック・サブテーブルを使用する方法は、表６の方法と類似し、ここでは１つずつ説明しない。
【０１１１】
例えば、ダウンリンク・サブフレーム６、７、８及び９のフィードバックのため、サブフレーム６はサブフレーム４へフィードバックされ、フィードバック分散を考慮して、サブフレーム７は、好ましくは、サブフレーム４へフィードバックされず、サブフレーム７はサブフレーム５へフィードバックされてもよい。同様に、サブフレーム８は、サブフレーム４又はサブフレーム５上の過剰なアップリンク・フィードバックを回避するために、好ましくは、サブフレーム４又はサブフレーム５へフィードバックされず、サブフレーム８はサブフレーム６へフィードバックされてもよい。同様に、サブフレーム９は、サブフレーム７へフィードバックされてもよい。確実に、アップリンク・フィードバック分散原理によれば、サブフレーム６、７、８及び９は、｛４，５，６，７｝又は｛５，６，７，８｝又は｛６，７，８，９｝のうちのいずれか１つの部分集合へフィードバックされてもよい。
【０１１２】
前述のとおり、アップリンク・フィードバック分散要件に応じて、異なったサブフレーム位置で、アップリンク・フィードバック・サブフレームを平衡させる値がアップリンク・フィードバックを実行するために選択されてもよい。
【０１１３】
５０３：ＦＤＤ  ＨＡＲＱタイミング関係又は直接マッピング関係に応じて、基地局は、ブランク・フレームに対応するＦＤＤ  ＤＬ周波数帯域の中のＤＬサブフレームのＤＬデータ・スケジューリングを実行する。
【０１１４】
例えば、第２の実施形態では、基地局は、ダウンリンク・サブフレーム１、２、６及び７又はダウンリンク・サブフレーム６、７、８及び９のダウンリンク・データ・スケジューリングを実行する。
【０１１５】
５０４：ＦＤＤ  ＨＡＲＱタイミング関係又は直接マッピング関係に応じて、ＵＥは、ブランク・フレームに対応するＦＤＤ  ＤＬ周波数帯域の中のＤＬサブフレームについてスケジュールされたＤＬデータを受信する。
【０１１６】
例えば、第２の実施形態では、基地局は、ダウンリンク・サブフレーム１、２、６及び７又はダウンリンク・サブフレーム６、７、８及び９上のダウンリンク・データを受信する。
【０１１７】
５０５：設定されたＨＡＲＱタイミング関係に応じて、ＵＥは、ブランク・フレームに対応するＤＬデータのＵＬフィードバック・サブフレームの位置においてダウンリンク・データ・フィードバックを実行する。
【０１１８】
例えば、第２の実施形態では、ＵＥは、設定されたＨＡＲＱタイミング関係に応じてＨＡＲＱタイミング関係テーブルを取得する。ＵＥは、ダウンリンク・サブフレーム１、２、６及び７の以下のアップリンク・フィードバック・サブフレーム：７、８、１２（次の無線フレームの無線サブフレーム２）、及び１３（次の無線フレームの無線サブフレーム３）を取得するためにテーブルを検索する。ダウンリンク・サブフレーム６、７、８及び９のアップリンク・フィードバック・サブフレームは、｛４，５，６，７｝又は｛５，６，７，８｝又は｛６，７，８，９｝のいずれか１つのサブセットである。その後、ＵＥは、アップリンク・フィードバック・サブフレーム上でアップリンク・フィードバックを送信する。
【０１１９】
５０６：設定されたＨＡＲＱタイミング関係に応じて、基地局は、ブランク・フレームに対応するＤＬデータのＵＬフィードバック・サブフレームの位置においてダウンリンク・データ・フィードバックを受信する。
【０１２０】
例えば、第２の実施形態では、基地局は、設定されたＨＡＲＱタイミング関係に応じてＨＡＲＱタイミング関係テーブルを取得する。基地局は、ダウンリンク・サブフレーム１、２、６及び７の以下のアップリンク・フィードバック・サブフレーム：７、８、１２（次の無線フレームの無線サブフレーム２）、及び１３（次の無線フレームの無線サブフレーム３）を取得するためにテーブルを検索する。したがって、ダウンリンク・サブフレーム６、７、８及び９のアップリンク・フィードバック・サブフレーム；｛４，５，６，７｝又は｛５，６，７，８｝又は｛６，７，８，９｝のいずれか１つのサブセットが取得される。その後、基地局は、アップリンク・フィードバック・サブフレーム上でアップリンク・フィードバックを受信する。
【０１２１】
本実施形態は、ＤＬサブフレーム送信が連続的であり、ＤＬサブフレームオフセットが０である実施例を単に使用することにより説明される。ＤＬサブフレーム送信が不連続的であり、ＤＬサブフレームオフセットが０ではない場合、類似した処理方法が使用され、すなわち、ブランク・フレームの近傍のＸ個のサブフレームのうち、１個のサブフレームが、ブランク・フレームに対応するダウンリンク・データのアップリンク・フィードバック・サブフレームとして負荷分散原理に応じてＸ個のサブフレームから選択される。このようにして、表６に類似した複数のテーブルが形成され、ここでは１つずつ説明しない。
【０１２２】
図１５は、本発明の第１の実施形態による基地局の概略構成図であり、基地局は、
周波数分割複信ＦＤＤダウンリンク周波数帯域においてダウンリンク・サブフレームに対応するアップリンク・サブフレームがブランク・フレームである場合、ブランク・フレームに対応するダウンリンク・サブフレームとダウンリンク・サブフレームのアップリンク・フィードバック・サブフレームとの間のマッピング関係を含む設定されたハイブリッド自動再送要求ＨＡＲＱタイミング関係に応じて、ブランク・フレームに対応するダウンリンク・サブフレームのアップリンク・フィードバック・サブフレームを決定するよう構成されている決定モジュール１５０１と、
決定モジュールによって決定されたアップリンク・フィードバック・サブフレーム上で、ブランク・フレームに対応するダウンリンク・サブフレームに関してＵＥによって送信されるデータフィードバックを受信するよう構成されている受信モジュール１５０２と、
を含む。
【０１２３】
決定モジュールは、具体的には、ＦＤＤダウンリンク周波数帯域の中のダウンリンク・サブフレームに対応するアップリンク・サブフレームがブランク・フレームであるとき、ブランク・フレーム、及び時間分割複信ハイブリッド自動再送要求ＴＤＤ  ＨＡＲＱタイミング関係に応じて、ブランク・フレームに対応するダウンリンク・サブフレームのアップリンク・フィードバック・サブフレームを決定するよう構成されている。
【０１２４】
決定モジュールにおける設定されたＨＡＲＱタイミング関係は、テーブルの形式で反映され、このテーブルは、ＴＤＤコンフィギュレーション番号、及びダウンリンク周波数帯域の中のダウンリンク・サブフレーム番号、及びＴＤＤコンフィギュレーション番号及びダウンリンク・サブフレーム番号に対応するＫ’値を含むか、又は、ブランク・フレーム・コンフィギュレーション番号、及びダウンリンク周波数帯域の中のダウンリンク・サブフレーム番号、及びブランク・フレーム・コンフィギュレーション番号及びダウンリンク・サブフレーム番号に対応するＫ’値を含み、Ｋ’は、ダウンリンク・サブフレームとダウンリンク・サブフレームのアップリンク・フィードバック・サブフレームとの間のフレームオフセットである。
【０１２５】
決定モジュールは、具体的には、テーブルの中で、ブランク・フレームに対応するブランク・フレーム・コンフィギュレーション番号、又はＴＤＤコンフィギュレーション番号及びブランク・フレームに対応するダウンリンク・サブフレームのサブフレーム番号ｎ双方に応じて、Ｋ’を検索し、ブランク・フレームに対応するダウンリンク・サブフレームのアップリンク・フィードバック・サブフレームのサブフレーム番号がｎ＋Ｋ’であると決定するよう構成されている。
【０１２６】
決定モジュールは、具体的には、ＦＤＤダウンリンク周波数帯域の中のダウンリンク・サブフレームに対応するアップリンク・サブフレームｎがブランク・フレームであるとき、ブランク・フレームｎの近くにあるＸ個のサブフレームのうちで、負荷分散原理に応じてブランク・フレームに対応するダウンリンク・サブフレームのアップリンク・フィードバック・サブフレームとしてＸ個のサブフレームから１個のサブフレームを選択するよう構成されている。
【０１２７】
決定モジュールにおける設定されたＨＡＲＱタイミング関係は、テーブルの形式で反映され、このテーブルは、ＴＤＤコンフィギュレーション番号、及びダウンリンク周波数帯域の中のダウンリンク・サブフレーム番号、及びＴＤＤコンフィギュレーション番号及びダウンリンク・サブフレーム番号に対応するＸ個のＫ’値を含むか、又は、ブランク・フレーム・コンフィギュレーション番号、及びダウンリンク周波数帯域の中のダウンリンク・サブフレーム番号、及びブランク・フレーム・コンフィギュレーション番号及びダウンリンク・サブフレーム番号に対応するＸ個のＫ’値を含み、Ｋ’は、ダウンリンク・サブフレームとダウンリンク・サブフレームのアップリンク・フィードバック・サブフレームとの間のフレームオフセットである。
【０１２８】
決定モジュールは、具体的には、テーブルの中で、ブランク・フレーム位置に対応するブランク・フレーム・コンフィギュレーション番号、又はＴＤＤコンフィギュレーション番号、及びブランク・フレームに対応するダウンリンク・サブフレームのサブフレーム番号ｎに応じて、Ｘ個のＫ’を検索し、負荷分散原理に応じてＸ個のＫ’から１個のＫ’を選択し、選択されたＫ’に応じて、ブランク・フレームに対応するダウンリンク・サブフレームのアップリンク・フィードバック・サブフレームのサブフレーム番号がｎ＋Ｋ’であると決定するよう構成されている。
【０１２９】
決定モジュールにおける設定されたＨＡＲＱタイミング関係は、テーブルの形式で反映され、このテーブルは、ＴＤＤコンフィギュレーション番号、及びダウンリンク周波数帯域の中のダウンリンク・サブフレーム番号、及びＴＤＤコンフィギュレーション番号及びダウンリンク・サブフレーム番号に対応するＸ個のＫ’値から負荷分散原理に応じて選択された１個のＫ’値を含むか、又は、設定されたＨＡＲＱタイミング関係は、テーブルの形式で反映され、このテーブルは、ブランク・フレーム・コンフィギュレーション番号、及びダウンリンク周波数帯域の中のダウンリンク・サブフレーム番号、及びブランク・フレーム・コンフィギュレーション番号及びダウンリンク・サブフレーム番号に対応するＸ個のＫ’値のうちの１個のＫ’値を含み、Ｋ’は、ダウンリンク・サブフレームとダウンリンク・サブフレームのアップリンク・フィードバック・サブフレームとの間のフレームオフセットである。
【０１３０】
決定モジュールは、具体的には、テーブルの中で、ブランク・フレーム位置に対応するブランク・フレーム・コンフィギュレーション番号、又はＴＤＤコンフィギュレーション番号、及びブランク・フレームに対応するダウンリンク・サブフレームのサブフレーム番号ｎに応じて、Ｋ’を検索し、ブランク・フレームに対応するダウンリンク・サブフレームのアップリンク・フィードバック・サブフレームのサブフレーム番号がｎ＋Ｋ’であると決定するよう構成されている。
【０１３１】
本発明の実施形態では、ＨＡＲＱタイミング関係を設定することにより、ＦＤＤダウンリンク周波数帯域の中のダウンリンク・サブフレームに対応するアップリンク・サブフレームがブランク・フレームであるとき、ブランク・フレームに対応するダウンリンク・サブフレームのアップリンク・フィードバック・サブフレームは、設定されたＨＡＲＱタイミング関係に応じて決定され、ダウンリンク・データ・フィードバックは、決定されたアップリンク・フィードバック・サブフレーム上で実行されるので、ＵＬ周波数帯域のＵＬサブフレームに対応するＤＬ周波数帯域のＤＬサブフレームについてデータ・スケジューリングが実行され得る。したがって、ダウンリンクリソースの利用が改善される。本発明の実施形態の技術的解決手法を使用することにより、複数の再送回数によるアップリンク・フィードバックの問題を解決することが不必要であり、したがって、アクセスリンクのサービス品質が改善される。ＦＤＤ  ＵＬ周波数帯域のＵＬサブフレーム一部がバックホールリンクのため使用される場合、本発明の実施形態を使用することにより、ＵＬサブフレームの一部に対応するＦＤＤデータ伝送のフィードバックは、ＵＬサブフレームの一部を除いてＵＬサブフレーム上で実行され得る。したがって、ＤＬリソースの利用が改善され、付加的な伝送遅延が発生されず、アクセスリンクのＱｏＳへの影響が引き起こされない。
【０１３２】
図１６は、本発明の実施形態によるユーザ端末の概略図であり、このユーザ端末は、
周波数分割複信（ＦＤＤ）ダウンリンク周波数帯域においてダウンリンク・サブフレームに対応するアップリンク・サブフレームがブランク・フレームである場合、ブランク・フレームに対応するダウンリンク・サブフレームとダウンリンク・サブフレームのアップリンク・フィードバック・サブフレームとの間のマッピング関係を含む設定されたハイブリッド自動再送要求（ＨＡＲＱ）タイミング関係に応じて、ブランク・フレームに対応するダウンリンク・サブフレームのアップリンク・フィードバック・サブフレームを決定するよう構成されている第１の決定モジュール１６０１と、
第１の決定モジュールによって決定されたアップリンク・フィードバック・サブフレーム上で、ブランク・フレームに対応するダウンリンク・サブフレームに関するデータフィードバックを基地局に送信するよう構成されている送信モジュール１６０２と、
を含む。
【０１３３】
決定モジュールは、具体的には、ＦＤＤダウンリンク周波数帯域の中のダウンリンク・サブフレームに対応するアップリンク・サブフレームがブランク・フレームであるとき、ブランク・フレーム及び時分割複信ハイブリッド自動再送要求（ＴＤＤ  ＨＡＲＱ）タイミング関係に応じて、ブランク・フレームに対応するダウンリンク・サブフレームのアップリンク・フィードバック・サブフレームを決定するよう構成され、決定モジュールにおけるＨＡＲＱタイミング関係は、テーブルの形式で反映され、このテーブルは、ＴＤＤコンフィギュレーション番号、及びダウンリンク周波数帯域の中のダウンリンク・サブフレーム番号、及びＴＤＤコンフィギュレーション番号及びダウンリンク・サブフレーム番号に対応するＫ’値を含むか、又は、ブランク・フレーム・コンフィギュレーション番号、及びダウンリンク周波数帯域の中のダウンリンク・サブフレーム番号、及びブランク・フレーム・コンフィギュレーション番号及びダウンリンク・サブフレーム番号に対応するＫ’値を含み、Ｋ’は、ダウンリンク・サブフレームとダウンリンク・サブフレームのアップリンク・フィードバック・サブフレームとの間のフレームオフセットである。
【０１３４】
決定モジュールは、具体的には、テーブルの中で、ブランク・フレームに対応するブランク・フレーム・コンフィギュレーション番号、又はＴＤＤコンフィギュレーション番号及びブランク・フレームに対応するダウンリンク・サブフレームのサブフレーム番号ｎ双方に応じて、Ｋ’を検索し、ブランク・フレームに対応するダウンリンク・サブフレームのアップリンク・フィードバック・サブフレームのサブフレーム番号がｎ＋Ｋ’であると決定するよう構成されている。
【０１３５】
決定モジュールは、具体的には、ＦＤＤダウンリンク周波数帯域の中のダウンリンク・サブフレームに対応するアップリンク・サブフレームｎがブランク・フレームであるとき、ブランク・フレームｎの近傍のＸ個のサブフレームのうちで、ブランク・フレームに対応するダウンリンク・サブフレームのアップリンク・フィードバック・サブフレームとして負荷分散原理に応じてＸ個のサブフレームから１個のサブフレームを選択するよう構成されている。
【０１３６】
決定モジュールにおける設定されたＨＡＲＱタイミング関係は、テーブルの形式で反映され、このテーブルは、ＴＤＤコンフィギュレーション番号、及びダウンリンク周波数帯域の中のダウンリンク・サブフレーム番号、及びＴＤＤコンフィギュレーション番号及びダウンリンク・サブフレーム番号に対応するＸ個のＫ’値を含み、又は、ブランク・フレーム・コンフィギュレーション番号、及びダウンリンク周波数帯域の中のダウンリンク・サブフレーム番号、及びブランク・フレーム・コンフィギュレーション番号及びダウンリンク・サブフレーム番号に対応するＸ個のＫ’値を含み、Ｋ’は、ダウンリンク・サブフレームとダウンリンク・サブフレームのアップリンク・フィードバック・サブフレームとの間のフレームオフセットである。
【０１３７】
決定モジュールは、具体的には、テーブルの中で、ブランク・フレーム位置に対応するブランク・フレーム・コンフィギュレーション番号、又はＴＤＤコンフィギュレーション番号、及びブランク・フレームに対応するダウンリンク・サブフレームのサブフレーム番号ｎに応じて、Ｘ個のＫ’を検索し、負荷分散原理に応じてＸ個のＫ’から１個のＫ’を選択し、選択されたＫ’に応じて、ブランク・フレームに対応するダウンリンク・サブフレームのアップリンク・フィードバック・サブフレームのサブフレーム番号がｎ＋Ｋ’であると決定するよう構成されている。
【０１３８】
決定モジュールにおける設定されたＨＡＲＱタイミング関係は、テーブルの形式で反映され、このテーブルは、ＴＤＤコンフィギュレーション番号、及びダウンリンク周波数帯域の中のダウンリンク・サブフレーム番号、及びＴＤＤコンフィギュレーション番号及びダウンリンク・サブフレーム番号に対応するＸ個のＫ’値から負荷分散原理に応じて選択された１個のＫ’値を含み、又は、設定されたＨＡＲＱタイミング関係は、テーブルの形式で反映され、このテーブルは、ブランク・フレーム・コンフィギュレーション番号、及びダウンリンク周波数帯域の中のダウンリンク・サブフレーム番号、及びブランク・フレーム・コンフィギュレーション番号及びダウンリンク・サブフレーム番号に対応するＸ個のＫ’値のうちの１個のＫ’値を含み、Ｋ’は、ダウンリンク・サブフレームとダウンリンク・サブフレームのアップリンク・フィードバック・サブフレームとの間のフレームオフセットである。
【０１３９】
決定モジュールは、具体的には、テーブルの中で、ブランク・フレーム位置に対応するブランク・フレーム・コンフィギュレーション番号、又はＴＤＤコンフィギュレーション番号、及びブランク・フレームに対応するダウンリンク・サブフレームのサブフレーム番号ｎに応じて、Ｋ’を検索し、ブランク・フレームに対応するダウンリンク・サブフレームのアップリンク・フィードバック・サブフレームのサブフレーム番号がｎ＋Ｋ’であると決定するよう構成されている。
【０１４０】
本発明の実施形態では、ＨＡＲＱタイミング関係を設定することにより、ＦＤＤダウンリンク周波数帯域の中のダウンリンク・サブフレームに対応するアップリンク・サブフレームがブランク・フレームであるとき、ブランク・フレームに対応するダウンリンク・サブフレームのアップリンク・フィードバック・サブフレームは、設定されたＨＡＲＱタイミング関係に応じて決定され、ダウンリンク・データ・フィードバックは、決定されたアップリンク・フィードバック・サブフレーム上で実行されるので、データ・スケジューリングは、ＵＬ周波数帯域のＵＬサブフレームに対応するＤＬ周波数帯域のＤＬサブフレームについて実行され得る。したがって、ダウンリンクリソースの利用が改善される。本発明の実施形態の技術的解決手法を使用することにより、複数の再送回数によるアップリンク・フィードバックの問題を解決することが不必要であり、したがって、アクセスリンクのサービス品質が改善される。ＦＤＤ  ＵＬ周波数帯域のＵＬサブフレーム一部がバックホールリンクのため使用される場合、本発明の実施形態を使用することにより、ＵＬサブフレームの一部に対応するＦＤＤデータ伝送のフィードバックは、ＵＬサブフレームの一部を除いてＵＬサブフレーム上で実行され得る。したがって、ＤＬリソースの利用が改善され、付加的な伝送遅延が発生されず、アクセスリンクのＱｏＳへの影響が引き起こされない。
【０１４１】
上記ユーザ機器及び基地局の実施形態において説明されたユニットは、単に機能ロジックに応じて分割されているが、対応する機能が実施され得る限り、このような分割に限定されない。さらに、機能ユニットの名称は、単に区別する目的であるので、本発明の保護範囲を限定することは意図されていない。
【０１４２】
さらに、当業者は、実施形態における前述の方法のステップの全部又は一部が該当するハードウェアに指令するプログラムによって実施される場合があることを理解してもよい。プログラムは、コンピュータ読み取り可能な記憶媒体に記憶されてもよい。記憶媒体は、リード・オンリー・メモリ、磁気ディスク、又は、光学ディスクを含んでもよい。
【０１４３】
上記説明は、本発明の例示となる具体的実施形態に過ぎないが、本発明の保護範囲を限定することは意図されていない。本発明の実施形態に開示された技術的範囲内で当業者によって見出される何らかの変形又は置換は、本発明の保護範囲に含まれるべきである。したがって、本発明の保護範囲は、請求項の保護範囲の対象となるべきである。
【０１４４】
本出願は、２０１０年９月１７日付けで中国特許庁に出願され、“ＤＡＴＡ  ＴＲＡＮＳＭＩＳＳＩＯＮ  ＦＥＥＤＢＡＣＫ  ＭＥＴＨＯＤ  ＡＮＤ  ＡＰＰＡＲＡＴＵＳ”と題する中国特許出願第２０１０１０２８４９６４．５号の優先権を主張し、この中国特許出願の内容全体が参照によってここに組み込まれる。
【図１】
0005571250.tif 000008
【図２】
0005571250.tif 000009
【図３】
0005571250.tif 000010
【図４】
0005571250.tif 000011
【図５】
0005571250.tif 000012
【図６】
0005571250.tif 000013
【図７】
0005571250.tif 000014
【図８】
0005571250.tif 000015
【図９】
0005571250.tif 000016
【図１０ａ】
0005571250.tif 000017
【図１０ｂ】
0005571250.tif 000018
【図１１】
0005571250.tif 000019
【図１２】
0005571250.tif 000020
【図１３】
0005571250.tif 000021
【図１４】
0005571250.tif 000022
【図１５】
0005571250.tif 000023
【図１６】
0005571250.tif 000024